(57)【要約】【課題】  標準２チャンネル周波数変換機を用いて３チャンネル以上の複数チャンネル周波数変換機を構成する。【解決手段】  第１の入力端子１１から入力される第１の高周波信号２１を周波数変換して第１の周波数変換信号６１を第１の出力端子７１へ出力する第１の混合器３１、第２の入力端子１２から入力される第２の高周波信号２２を周波数変換して第２の周波数変換信号６２を第２の出力端子７２へ出力する第２の混合器３２、及び局発信号入力端子８０から入力される局発信号４４を第１の混合器３１と第２の混合器３２に分配して出力する第１の分配器５１から構成される２チャンネル周波数変換部１０１を単一にまたは並列に複数設け、局発信号を発生する局部発振器４と、この局部発振器が発生する局発信号を局発信号入力端子８０に分配して出力する第２の分配器５２とを備える。【選択図】        図３
2005072885.tif 000002
【特許請求の範囲】
【請求項１】
第１の入力端子から入力される第１の高周波信号を周波数変換して第１の周波数変換信号を第１の出力端子へ出力する第１の混合器、第２の入力端子から入力される第２の高周波信号を周波数変換して第２の周波数変換信号を第２の出力端子へ出力する第２の混合器、及び局発信号入力端子から入力される局発信号を上記第１の混合器と上記第２の混合器に分配して出力する第１の分配器から構成される２チャンネル周波数変換部を単一にまたは並列に複数設け、上記局発信号を発生する局部発振器と、該局部発振器が発生する上記局発信号を上記局発信号入力端子に分配して出力する第２の分配器とを備えた複数チャンネル周波数変換機。
【請求項２】
所定の帯域において、第１の混合器に入力される第１の高周波信号と第２の混合器に入力される第２の高周波信号との位相差が、上記第１の混合器から出力される第１の周波数変換信号と上記第２の混合器から出力される第２の周波数変換信号との位相差に等しいことを特徴とする請求項１に記載の複数チャンネル周波数変換機。
【請求項３】
所定の帯域において、２チャンネル周波数変換部における第１の入力端子から第１の混合器の入力端までの群遅延時間と第２の入力端子から第２の混合器の入力端までの群遅延時間に等しく、上記第１の混合器の周波数変換における群遅延特性と上記第２の混合器の周波数変換における群遅延特性とが等しく、上記第１の混合器の出力端から第１の出力端子までの群遅延時間と上記第２の混合器の出力端から第２の出力端子までの群遅延時間とが等しく、かつ、局部発振器の出力端から上記２チャンネル周波数変換部の上記第１の混合器及び上記第２の混合器までのそれぞれの電気長が等しいことを特徴とする請求項１に記載の複数チャンネル周波数変換機。
【請求項４】
少なくとも第１の入力端子と第１の出力端子との間または第２の入力端子と第２の出力端子との間のいずれかに第１の移相器を設けて、第１の入力端子から第１の混合器の入力端までの群遅延時間と第２の入力端子から第２の混合器の入力端までの群遅延時間との差異、または、上記第１の混合器の出力端から第１の出力端子までの群遅延時間と上記第２の混合器の出力端から第２の出力端子までの群遅延時間との差異をなくしたことを特徴とする請求項３に記載の複数チャンネル周波数変換機。
【請求項５】
少なくとも局部発振器の出力端から２チャンネル周波数変換部の第１の混合器の局発信号入力端までの間または上記２チャンネル周波数変換部の第２の混合器の局発信号入力端までの間のいずれかに第２の移相器を設けて、局部発振器の出力端から上記２チャンネル周波数変換部の第１の混合器及び第２の混合器の局発信号入力端までのそれぞれの電気長の差異をなくしたことを特徴とする請求項３に記載の複数チャンネル周波数変換機。
【請求項６】
第１の入力端子から入力される第１の追尾信号を周波数変換して第１の周波数変換信号を第１の出力端子へ出力する第１の混合器、第２の入力端子から入力される第２の追尾信号を周波数変換して第２の周波数変換信号を第２の出力端子へ出力する第２の混合器、及び局発信号入力端子から入力される局発信号を上記第１の混合器と上記第２の混合器に分配して出力する第１の分配器から構成される２チャンネル周波数変換部を単一にまたは並列に複数設け、上記局発信号を発生する局部発振器と、該局部発振器が発生する上記局発信号を上記局発信号入力端子に分配して出力する第２の分配器とを備え、所定の帯域において、上記第１の混合器に入力される上記第１の追尾信号と上記第２の混合器に入力される上記第２の高周波信号との位相差が、上記第１の混合器から出力される上記第１の周波数変換信号と上記第２の混合器から出力される上記第２の周波数変換信号との位相差に等しい追尾信号周波数変換機。
【発明の詳細な説明】
【技術分野】
【０００１】
この発明は、複数の高周波信号をそれぞれ低い周波数の信号に変換する複数チャンネル周波数変換機に係わり、上記高周波信号が、衛星、ロケットまたは航空機などの移動体を追跡管制するための追尾信号である場合のように、複数の高周波信号間の位相関係、すなわち位相差が、周波数変換後も保存される複数チャンネル周波数変換機に関する。
【背景技術】
【０００２】
従来の複数チャンネル周波数変換機においては、チャンネル数が４であり、複数チャンネル周波数変換機の局部発振器が発生する局発信号を４分配して、各高周波信号が入力される４つの混合器へそれぞれ出力する構成にしている（例えば、特許文献１参照）。
【０００３】
【特許文献１】特開２００２−１９０７４９号公報（第５頁、第１図）
【発明の開示】
【発明が解決しようとする課題】
【０００４】
従来の複数チャンネル周波数変換機では、高周波信号が入力される混合器をチャンネル数備え、局部発振器が発生する局発信号をチャンネル数分配して各混合器へ出力する。高周波信号が衛星、ロケットまたは航空機などの移動体の追尾信号の場合、周波数変換する追尾信号のチャンネル数は、一般に、追尾基準信号（和信号）と２つの追尾誤差信号（差信号）の３つとなる。直交する二つの偏波の追尾信号を受信して合成する偏波ダイバーシティを用いる場合にはチャンネル数がさらに増える。従来の複数チャンネル周波数変換機においてチャンネル数が３つ以上になると、３つ以上の混合器と各混合器に局発信号を分配する分配器が必要となる。２チャンネルの周波数変換機は標準品として市販されているので比較的安価に入手できるが、３チャンネル以上の周波数変換機は一般に特注品となり入手が容易でなく、標準品である２チャンネル周波数変換機と比較し価格も高い。したがって、市販の標準品の活用によるコスト低減が求められる３チャンネル以上の複数チャンネル周波数変換機には特注品を適用できないという問題点があった。
【０００５】
この発明は上記のような課題を解消するためになされたもので、第１の目的は、標準品である２チャンネル周波数変換機の構成を一部変更したものを複数用い、さらに簡易な付加回路を追加することにより、２チャンネル周波数変換機を活用して３チャンネル以上の複数チャンネル周波数変換機を得るものである。
また、第２の目的は、複数の高周波信号間の位相関係（位相差）が周波数変換後も保存される複数チャンネル周波数変換機を得るものである。
【課題を解決するための手段】
【０００６】
この発明に係る複数チャンネル周波数変換機においては、第１の入力端子から入力される第１の高周波信号を周波数変換して第１の周波数変換信号を第１の出力端子へ出力する第１の混合器、第２の入力端子から入力される第２の高周波信号を周波数変換して第２の周波数変換信号を第２の出力端子へ出力する第２の混合器、及び局発信号入力端子から入力される局発信号を第１の混合器と第２の混合器に分配して出力する第１の分配器から構成される２チャンネル周波数変換部を単一にまたは並列に複数設け、局発信号を発生する局部発振器と、この局部発振器が発生する局発信号を局発信号入力端子に分配して出力する第２の分配器とを備えたものである。
【発明の効果】
【０００７】
この発明は、第１の入力端子から入力される第１の高周波信号を周波数変換して第１の周波数変換信号を第１の出力端子へ出力する第１の混合器、第２の入力端子から入力される第２の高周波信号を周波数変換して第２の周波数変換信号を第２の出力端子へ出力する第２の混合器、及び局発信号入力端子から入力される局発信号を第１の混合器と第２の混合器に分配して出力する第１の分配器から構成される２チャンネル周波数変換部を単一にまたは並列に複数設け、局発信号を発生する局部発振器と、この局部発振器が発生する局発信号を局発信号入力端子に分配して出力する第２の分配器とを備えたので、標準品の２チャンネル周波数変換機に局発信号入力端子を設ける変更を施すことにより２チャンネル周波数変換部を構成できる。また、局発信号を分配する第２の分配器を含む付加回路を新たに設け、この第２の分配器を用いて分配された局発信号を複数の局発信号入力端子に入力することができる。このように、標準品である２チャンネル周波数変換機の構成を一部変更したものを複数用い、さらに簡易な付加回路を追加することにより、２チャンネル周波数変換機を活用して３チャンネル以上の複数チャンネル周波数変換機を得ることができる。
【発明を実施するための最良の形態】
【０００８】
周波数変換される高周波信号が追尾信号である場合を例にとり説明する。
実施の形態１．
標準品である２チャンネル周波数変換機の構成を一部変更したものを並列に２セット用い、さらに付加回路を追加して、４チャンネル周波数変換機を構成する場合を例にとり説明する。
図１は、この発明の実施の形態１における４チャンネル周波数変換機の要部となる２チャンネル周波数変換機の構成を説明するブロック図である。図１において、第１の入力端子１１から入力された第１の高周波信号である第１の追尾信号２１は第１の混合器３１へ入力される。同様に、第２の入力端子１２から入力された第２の高周波信号である第２の追尾信号２２は第２の混合器３２へ入力される。また、局部発振器４から発生された局発信号４０は、第１の分配器（図中、分配器をＰＤ：Power Dividerと記す。）である第１のＴ分岐形電力分配器５１へ入力される。さらに、局発信号４０は第１のＴ分岐形電力分配器５１により第１の混合器入力局発信号４５と第２の混合器入力局発信号４６に分配され、それぞれ第１の混合器３１と第２の混合器３２へ入力される。ここで、第１の混合器入力局発信号４５と第２の混合器入力局発信号４６の周波数は同一である。
【０００９】
第１の追尾信号２１は、第１の混合器３１により第１の追尾信号２１の周波数成分と第１の混合器入力局発信号４５の周波数との差の周波数成分を有する第１の周波数変換信号６１に変換され、第１の出力端子７１へ出力される。同様に、第２の追尾信号２２は、第２の混合器３２により第２の追尾信号２２の周波数成分と第２の混合器入力局発信号４６の周波数との差の周波数成分を有する第２の周波数変換信号６２に変換され、第２の出力端子７２へ出力される。このように、第１の高周波信号である第１の追尾信号２１と第２の高周波信号である第２の追尾信号２２とがそれぞれ第１の周波数変換信号６１と第２の周波数変換信号６２とに変換されて出力される２つの信号経路（チャンネル）を有する２チャンネル周波数変換機１００が構成される。
【００１０】
図２は、この発明の実施の形態１における４チャンネル周波数変換機の第１の基本ユニット１０２を説明するブロック図である。図２において、２チャンネル周波数変換部１０１は、図１で示した第１の入力端子１１、第１の混合器３１、第１の出力端子７１、第２の入力端子１２、第２の混合器３２、第２の出力端子７２、第１のＴ分岐形電力分配器５１に加え、局発信号入力端子８０が外部インタフェースとして設けられる。
【００１１】
局発信号入力端子８０から入力された第１の分配器入力局発信号４４は第１のＴ分岐形電力分配器５１へ入力される。ここで、第１の分配器入力局発信号４４は局部発振器４が発生する局発信号４０と同じ周波数を有する。局部発振器４から発生された局発信号４０は、第２の分配器である第２のＴ分岐形電力分配器５２へ入力される。局発信号４０は第２のＴ分岐形電力分配器５２により第１の局発信号４１と第２の局発信号４２に分配され、それぞれ第１の局発信号出力端子８１と第２の局発信号出力端子８２へ出力される。これらの第１の局発信号出力端子８１及び第２の局発信号出力端子８２は外部インタフェースとして設けられる。ここで、局発信号入力端子８０、第２のＴ分岐形電力分配器５２、第１の局発信号出力端子８１及び第２の局発信号出力端子８２は、図１で示した２チャンネル周波数変換機１００の構成に対し変更を施した付加回路である。このように、２チャンネル周波数変換部１０１、局部発振器４、第２のＴ分岐形電力分配器５２、第１の局発信号出力端子８１及び第２の局発信号出力端子８２により第１の基本ユニット１０２を構成する。
【００１２】
図３は、この発明の実施の形態１における４チャンネル周波数変換機の全体構成を説明するブロック図である。図２で示した第１の基本ユニット１０２を並列に２セット設け、さらに第１の基本ユニット１０２の外部に付加回路を設けることにより４チャンネル周波数変換機１０３を構成する。図３において、第１の基本ユニット１０２ａにおける第１の局発信号出力端子８１ａと局発信号入力端子８０ａとが第１のジャンパー線４３ａにより接続される。また、第２の局発信号出力端子８２ａと第１の基本ユニット１０２ｂにおける局発信号入力端子８０ｂとが第２のジャンパー線４３ｂにより接続される。さらに、第１の基本ユニット１０２ｂにおいて、第１の局発信号出力端子８１ｂに第１の終端器８３ｂ、第２の局発信号出力端子８２ｂに第２の終端器８４ｂが接続される。ここで、第１の基本ユニット１０２の外部に設ける付加回路とは、第１のジャンパー線４３ａ、第２のジャンパー線４３ｂ、第１の終端器８３ｂ及び第２の終端器８４ｂである。
【００１３】
図３における第１の基本ユニット１０２ａ及び１０２ｂは図２で示した第１の基本ユニット１０２と同一の構成であり、第１の入力端子１１から第１の混合器３１の入力端に至る伝送線路と、第２の入力端子１２から第２の混合器３２の入力端に至る伝送線路とは、それぞれ所定の帯域内において周波数分散性がなく線路長が等しい同一の同軸ケーブルを用いて構成される。また、第１の混合器３１及び第２の混合器３２は、同一の製造方法、同一の製造ロットを用いて製造することにより、上記所定の帯域内において周波数変換時の群遅延特性が同一となるように構成される。ここで、所定の帯域とは、第１の追尾信号２１及び第２の追尾信号２２に割り当てられている周波数帯域である。さらに、第１の混合器３１の出力端から第１の出力端子７１に至る伝送線路と、第２の混合器３２の出力端から第２の出力端子７２に至る伝送線路とは、それぞれ第１の混合器３１及び第２の混合器３２により周波数変換された第１の周波数変換信号６１及び第２の周波数変換信号６２が有する周波数帯域内において周波数分散性がなく線路長が等しい同一の同軸ケーブルを用いて構成される。
【００１４】
また、第１の基本ユニット１０２ａの第２のＴ分岐形電力分配器５２ａは、第２のＴ分岐形電力分配器５２ａの入力端における局発信号４０ａの位相に対し、第２のＴ分岐形電力分配器５２ａの二つの出力端における第１の局発信号４１ａ及び第２の局発信号４２ａの位相差がそれぞれ等しくなるように構成される。また、第２のＴ分岐形電力分配器５２ａの一方の出力端から第１の局発信号出力端子８１ａに至る伝送線路と、第２のＴ分岐形電力分配器５２ａのもう一方の出力端から第２の局発信号出力端子８２ａに至る伝送線路とは、それぞれ線路長が等しい同一の同軸ケーブルを用いて構成される。また、第１のジャンパー線４３ａと第２のジャンパー線４３ｂはそれぞれ線路長が等しい同一の同軸ケーブルを用いて構成される。さらに、第１の基本ユニット１０２ａにおける局発信号入力端子８０ａから第１のＴ分岐形電力分配器５１ａの入力端に至る伝送線路と、第１の基本ユニット１０２ｂにおける局発信号入力端子８０ｂから第１のＴ分岐形電力分配器５１ｂの入力端に至る伝送線路とは、それぞれ線路長が等しい同一の同軸ケーブルを用いて構成される。
【００１５】
また、第１の基本ユニット１０２ａの第１のＴ分岐形電力分配器５１ａにおいて、第１のＴ分岐形電力分配器５１ａの入力端における第１の分配器入力局発信号４４ａの位相に対し、第１のＴ分岐形電力分配器５１ａの二つの出力端における第１の混合器入力局発信号４５ａ及び第２の混合器入力局発信号４６ａの位相差はそれぞれ等しい。同様に、第１の基本ユニット１０２ｂの第１のＴ分岐形電力分配器５１ｂにおいて、第１のＴ分岐形電力分配器５１ｂの入力端における第１の混合器入力局発信号４４ｂの位相に対し、第１のＴ分岐形電力分配器５１ｂの二つの出力端における第１の混合器入力局発信号４５ｂ及び第２の混合器入力局発信号４６ｂの位相差はそれぞれ等しい。さらに、上記４つの位相差がすべて等しくなるように、第１のＴ分岐形電力分配器５１ａ及び第１のＴ分岐形電力分配器５１ｂが構成される。
【００１６】
また、第１の基本ユニット１０２ａの第１のＴ分岐形電力分配器５１ａの一方の出力端から第１の混合器３１ａの局発信号入力端に至る伝送線路と、第１のＴ分岐形電力分配器５１ａのもう一方の出力端から第２の混合器３２ａの局発信号入力端に至る伝送線路と、第１の基本ユニット１０２ｂの第１のＴ分岐形電力分配器５１ｂの一方の出力端から第１の混合器３１ｂの局発信号入力端に至る伝送線路と、第１のＴ分岐形電力分配器５１ｂのもう一方の出力端から第２の混合器３２ｂの局発信号入力端に至る伝送線路とは、それぞれ線路長が等しい同一の同軸ケーブルを用いて構成される。
【００１７】
次に動作について説明する。第１の基本ユニット１０２ａにおいて、第１の入力端子１１ａから入力された第１の追尾信号２１ａは第１の混合器３１ａへ入力される。また、第２の入力端子１２ａから入力された第２の追尾信号２２ａは第２の混合器３２ａへ入力される。同様に、第１の基本ユニット１０２ｂにおいて、第１の入力端子１１ｂから入力された第１の追尾信号２１ｂは第１の混合器３１ｂへ入力される。また、第２の入力端子１２ｂから入力された第２の追尾信号２２ｂは第２の混合器３２ｂへ入力される。
【００１８】
ここで、第１の基本ユニット１０２ａにおいて、第１の入力端子１１ａから第１の混合器３１ａの入力端に至る伝送線路と、第２の入力端子１２ａから第２の混合器３２ａの入力端に至る伝送線路とが、それぞれ追尾信号の帯域内において周波数分散性がなく線路長が等しい同一の同軸ケーブルを用いて構成され、第１の基本ユニット１０２ｂについても同様であるので、第１の基本ユニット１０２ａの第１の入力端子１１ａにおける第１の追尾信号２１ａ、第２の入力端子１２ａにおける第２の追尾信号２２ａ、第１の基本ユニット１０２ｂの第１の入力端子１１ｂにおける第１の追尾信号２１ｂ及び第２の入力端子１２ｂにおける第２の追尾信号２２ｂは、第１の基本ユニット１０２ａにおける第１の混合器３１ａ、第２の混合器３２ａ、第１の基本ユニット１０２ｂにおける第１の混合器３１ｂ及び第２の混合器３２ｂのそれぞれの入力端において、追尾信号の帯域内のすべての周波数成分に対し同じ量の位相遅れが生じる。すなわち、上記４つの追尾信号２１ａ、２２ａ、２１ｂ及び２２ｂに対し、各入力端子１１ａ、１２ａ、１１ｂ及び１２ｂから対応する混合器３１ａ、３２ａ、３１ｂ及び３２ｂの入力端までの群遅延時間が等しい。したがって、追尾信号の帯域内のすべての周波数成分に対し、上記４つの入力端子１１ａ、１２ａ、１１ｂ及び１２ｂにおける上記４つの追尾信号２１ａ、２２ａ、２１ｂ及び２２ｂの間の位相関係（位相差）は、上記４つの混合器３１ａ、３２ａ、３１ｂ及び３２ｂの入力端において保存される。
【００１９】
第１の基本ユニット１０２ａにおける局部発振器４ａから発生された局発信号４０ａは第２の分配器である第２のＴ分岐形電力分配器５２ａへ入力される。局発信号４０ａは第２のＴ分岐形電力分配器５２ａにより第１の局発信号４１ａと第２の局発信号４２ａに分配され、それぞれ第１の局発信号出力端子８１ａと第２の局発信号出力端子８２ａへ出力される。なお、局発信号４０ａ、第１の局発信号４１ａ及び第２の局発信号４２ａの周波数は同じである。このように、局発信号４０ａは第２のＴ分岐形電力分配器５２ａにより２チャンネル周波数変換部１０１の数だけ分配される。
【００２０】
ここで、第２のＴ分岐形電力分配器５２ａにおいて、第２のＴ分岐形電力分配器５２ａの入力端における局発信号４０ａの位相に対し、第２のＴ分岐形電力分配器５２ａの二つの出力端における第１の局発信号４１ａ及び第２の局発信号４２ａの位相差はそれぞれ等しい。また、第２のＴ分岐形電力分配器５２ａの一方の出力端から第１の局発信号出力端子８１ａに至る伝送線路と、第２のＴ分岐形電力分配器５２ａのもう一方の出力端から第２の局発信号出力端子８２ａに至る伝送線路とが、それぞれ線路長が等しい同一の同軸ケーブルを用いて構成されるので、第１の局発信号４１ａ及び第２の局発信号４２ａは、第２のＴ分岐形電力分配器５２ａの二つの出力端からそれぞれ対応する第１の局発信号出力端子８１ａ及び第２の局発信号出力端子８２ａまで伝送する間に同じ量の位相遅れが生じる。なお、局発信号４０ａが局部発振器４ａの出力端から第２のＴ分岐形電力分配器５２ａの入力端まで伝送する間に生じる位相遅れは、第１の局発信号４１ａ及び第２の局発信号４２ａの位相に対し共通に寄与する。したがって、局部発振器４ａの出力端における局発信号４０ａの位相に対し、第１の局発信号出力端子８１ａ及び第２の局発信号出力端子８２ａにおけるそれぞれの局発信号の位相遅れはそれぞれ等しい。
【００２１】
第１の基本ユニット１０２ａの第１の局発信号出力端子８１ａから出力された第１の局発信号４１ａは、第１のジャンパー線４３ａを経由して第１の基本ユニット１０２ａの局発信号入力端子８０ａへ入力される。同様に、第１の基本ユニット１０２ａの第２の局発信号出力端子８２ａから出力された第２の局発信号４２ａは、第２のジャンパー線４３ｂを経由して第１の基本ユニット１０２ｂの局発信号入力端子８０ｂへ入力される。
【００２２】
ここで、第１のジャンパー線４３ａと第２のジャンパー線４３ｂとがそれぞれ線路長が等しい同一の同軸ケーブルを用いて構成されるので、第１の局発信号４１ａ及び第２の局発信号４２ａは、それぞれ、第１の局発信号出力端子８１ａから局発信号入力端子８０ａまで、及び、第２の局発信号出力端子８２ａから局発信号入力端子８０ｂまで伝送する間に同じ量の位相遅れが生じる。
【００２３】
第１の基本ユニット１０２ａの局発信号入力端子８０ａから入力された第１の局発信号４１ａは、第１の分配器入力局発信号４４ａとなって第１のＴ分岐形電力分配器５１ａへ入力される。第１の分配器入力局発信号４４ａは第１のＴ分岐形電力分配器５１ａにより第１の混合器入力局発信号４５ａと第２の混合器入力局発信号４６ａに分配され、それぞれ第１の混合器３１ａと第２の混合器３２ａへ入力される。
【００２４】
同様に、第１の基本ユニット１０２ｂの局発信号入力端子８０ｂから入力された第２の局発信号４２ａは、第１の分配器入力局発信号４４ｂとなって第１のＴ分岐形電力分配器５１ｂへ入力される。第１の分配器入力局発信号４４ｂは第１のＴ分岐形電力分配器５１ｂにより第１の混合器入力局発信号４５ｂと第２の混合器入力局発信号４６ｂに分配され、それぞれ第１の混合器３１ｂと第２の混合器３２ｂへ入力される。
【００２５】
ここで、局発信号入力端子８０ａから第１のＴ分岐形電力分配器５１ａの入力端に至る伝送線路と、局発信号入力端子８０ｂから第１のＴ分岐形電力分配器５１ｂの入力端に至る伝送線路とが、それぞれ線路長が等しい同一の同軸ケーブルを用いて構成されるので、第１の分配器入力局発信号４４ａ及び第１の分配器入力局発信号４４ｂは、それぞれ、局発信号入力端子８０ａから第１のＴ分岐形電力分配器５１ａの入力端まで、及び、局発信号入力端子８０ｂから第１のＴ分岐形電力分配器５１ｂの入力端まで伝送する間に同じ量の位相遅れが生じる。
【００２６】
また、第１のＴ分岐形電力分配器５１ａにおいて、第１のＴ分岐形電力分配器５１ａの入力端における第１の分配器入力局発信号４４ａの位相に対し、第１のＴ分岐形電力分配器５１ａの二つの出力端における第１の混合器入力局発信号４５ａ及び第２の混合器入力局発信号４６ａの位相差はそれぞれ等しい。同様に、第１のＴ分岐形電力分配器５１ｂにおいて、第１のＴ分岐形電力分配器５１ｂの入力端における第１の混合器入力局発信号４４ｂの位相に対し、第１のＴ分岐形電力分配器５１ｂの二つの出力端における第１の混合器入力局発信号４５ｂ及び第２の混合器入力局発信号４６ｂの位相差もそれぞれ等しい。さらに、上記４つの位相差はすべて等しい。
【００２７】
さらに、第１の基本ユニット１０２ａの第１のＴ分岐形電力分配器５１ａの一方の出力端から第１の混合器３１ａの局発信号入力端に至る伝送線路と、第１のＴ分岐形電力分配器５１ａのもう一方の出力端から第２の混合器３２ａの局発信号入力端に至る伝送線路と、第１の基本ユニット１０２ｂの第１のＴ分岐形電力分配器５１ｂの一方の出力端から第１の混合器３１ｂの局発信号入力端に至る伝送線路と、第１のＴ分岐形電力分配器５１ｂのもう一方の出力端から第２の混合器３２ｂの局発信号入力端に至る伝送線路とが、それぞれ線路長が等しい同一の同軸ケーブルを用いて構成されるので、第１の混合器入力局発信号４５ａ及び第２の混合器入力局発信号４６ａが、それぞれ、第１のＴ分岐形電力分配器５１ａの二つの出力端から第１の混合器３１ａ及び第２の混合器３２ａのそれぞれの局発信号入力端まで伝送する間、ならびに、第１の混合器入力局発信号４５ｂ及び第２の混合器入力局発信号４６ｂが、それぞれ、第１のＴ分岐形電力分配器５１ｂの二つの出力端から第１の混合器３１ｂ及び第２の混合器３２ｂのそれぞれの局発信号入力端まで伝送する間の位相遅れはすべて等しい。
【００２８】
したがって、第１の混合器３１ａ、第２の混合器３２ａ、第１の混合器３１ｂ及び第２の混合器３２ｂの各局発信号入力端における局発信号の周波数と位相はすべて等しい。すなわち、局部発振器４ａの出力端から上記４つの混合器の局発信号入力端までのそれぞれの電気長がすべて等しい。
【００２９】
第１の基本ユニット１０２ａの第１の追尾信号２１ａは、第１の混合器３１ａにより第１の追尾信号２１ａの周波数成分と第１の混合器入力局発信号４５ａの周波数との差の周波数成分を有する第１の周波数変換信号６１ａに変換され、第１の出力端子７１ａへ出力される。また、第２の追尾信号２２ａは、第２の混合器３２ａにより第２の追尾信号２２ａの周波数成分と第２の混合器入力局発信号４６ａの周波数との差の周波数成分を有する第２の周波数変換信号６２ａに変換され、第２の出力端子７２ａへ出力される。
【００３０】
同様に、第１の基本ユニット１０２ｂの第１の追尾信号２１ｂは、第１の混合器３１ｂにより第１の追尾信号２１ｂの周波数成分と第１の混合器入力局発信号４５ｂの周波数との差の周波数成分を有する第１の周波数変換信号６１ｂに変換され、第１の出力端子７１ｂへ出力される。また、第２の追尾信号２２ｂは、第２の混合器３２ｂにより第２の追尾信号２２ｂの周波数成分と第２の混合器入力局発信号４６ｂの周波数との差の周波数成分を有する第２の周波数変換信号６２ｂに変換され、第２の出力端子７２ｂへ出力される。
【００３１】
ここで、第１の基本ユニット１０２ａにおける第１の混合器３１ａ及び第２の混合器３２ａは所定の帯域内において周波数変換時の群遅延特性が同一となるように構成され、各混合器へ入力される局発信号の周波数及び位相も同一であり、第１の基本ユニット１０２ｂについても同様なので、各混合器の出力端における各周波数変換信号間の位相関係（位相差）は、各混合器の入力端における各追尾信号間の位相関係（位相差）と同一となる。すなわち、所定の帯域において、第１の混合器に入力される第１の高周波信号と第２の混合器に入力される第２の高周波信号との位相差が、上記第１の混合器から出力される第１の周波数変換信号と上記第２の混合器から出力される第２の周波数変換信号との位相差に等しい。
【００３２】
さらに、第１の基本ユニット１０２ａにおける第１の混合器３１ａの出力端から第１の出力端子７１ａに至る伝送線路と、第２の混合器３２ａの出力端から第２の出力端子７２ａに至る伝送線路とが、それぞれ第１の混合器３１ａ及び第２の混合器３２ａにより周波数変換された第１の周波数変換信号６１ａ及び第２の周波数変換信号６２ａが有する周波数帯域内において周波数分散性がなく線路長が等しい同一の同軸ケーブルを用いて構成され、第１の基本ユニット１０２ｂについても同様なので、各混合器３１ａ、３２ａ、３１ｂ及び３２ｂの出力端からそれぞれ対応する出力端子７１ａ、７２ａ、７１ｂ及び７２ｂまで周波数変換信号が伝送する間の位相遅れも、周波数変換信号の帯域内のすべての周波数成分に対し同一となる。すなわち、上記４つの周波数変換信号６１ａ、６２ａ、６１ｂ及び６２ｂに対し、各混合器３１ａ、３２ａ、３１ｂ及び３２ｂの出力端から対応する出力端子７１ａ、７２ａ、７１ｂ及び７２ｂまでの群遅延時間が等しい。したがって、周波数変換信号６１ａ、６２ａ、６１ｂ及び６２ｂの帯域内のすべての周波数成分に対し、上記４つの混合器３１ａ、３２ａ、３１ｂ及び３２ｂの出力端における上記４つの周波数変換信号６１ａ、６２ａ、６１ｂ及び６２ｂの間の位相関係（位相差）は、上記４つの出力端子７１ａ、７２ａ、７１ｂ及び７２ｂにおいて保存される。
【００３３】
このように、第１の基本ユニット１０２ａ及び１０２ｂへ入力される４つの追尾信号２１ａ、２２ａ、２１ｂ及び２２ｂの間の各入力端子１１ａ、１２ａ、１１ｂ及び１２ｂにおける位相関係（位相差）は、対応する出力端子７１ａ、７２ａ、７１ｂ及び７１ｂにおける周波数変換信号間の位相関係（位相差）と同一となる。すなわち、４つの高周波信号である追尾信号２１ａ、２２ａ、２１ｂ及び２２ｂの間の位相関係（位相差）が周波数変換後も保存される。
【００３４】
一方、第１の基本ユニット１０２ｂにおける局部発振器４ｂから発生された局発信号４０ｂは、第２の分配器である第２のＴ分岐形電力分配器５２ｂへ入力される。局発信号４０ｂは第２のＴ分岐形電力分配器５２ｂにより第１の局発信号４１ｂと第２の局発信号４２ｂに分配され、それぞれ第１の局発信号出力端子８１ｂと第２の局発信号出力端子８２ｂへ出力される。第１の局発信号出力端子８１ｂへ出力される第１の局発信号４１ｂは、第１の終端器８３ｂにより熱となって吸収され、第１の基本ユニット１０２ｂ内の他の部品に影響を及ぼさない。同様に第２の局発信号出力端子８２ｂへ出力される第２の局発信号４２ｂは、第２の終端器８４ｂにより熱となって吸収され、第１の基本ユニット１０２ｂ内の他の部品に影響を及ぼさない。
【００３５】
このように、第１の基本ユニット１０２ａにおける局部発振器４ａから発生された局発信号４０ａは、第１の基本ユニット１０２ａにおける第２のＴ分岐形電力分配器５２ａ、第１のＴ分岐形電力分配器５１ａ、及び第１の基本ユニット１０２ｂにおける第１のＴ分岐形電力分配器５１ｂにより４分配され、それぞれ混合器３１ａ、３２ａ、３１ｂ及び３２ｂへ入力されることにより、４チャンネル周波数変換機１０３へ入力される４つの追尾信号２１ａ、２２ａ、２１ｂ及び２２ｂの周波数変換に供される。一方、第１の基本ユニット１０２ｂにおける局部発振器４ｂから発生された局発信号４０ｂは、４チャンネル周波数変換機１０３へ入力される４つの追尾信号２１ａ、２２ａ、２１ｂ及び２２ｂの周波数変換に供されない。
【００３６】
このように、第２のＴ分岐形電力分配器５２ａを第１の基本ユニット１０２ａの内部に設けたので、第１の基本ユニット１０２ａ内における第２のＴ分岐形電力分配器５２ａと他の構成部品との温度差を抑えられ、さらに第１の基本ユニット１０２ａの内部と第１の基本ユニット１０２ｂの内部との温度差も抑えることにより、温度変化による局発信号の位相特性や振幅特性のばらつきを抑圧できる利点がある。
【００３７】
上記の実施の形態１の説明において、４チャンネル周波数変換機１０３を構成する例を示したが、１つのチャンネルにおける入力端子及び出力端子に終端器を接続することにより３チャンネル周波数変換機が得られる。
【００３８】
このように構成された実施の形態１による４チャンネル周波数変換機は、第１の入力端子から入力される第１の高周波信号を周波数変換して第１の周波数変換信号を第１の出力端子へ出力する第１の混合器、第２の入力端子から入力される第２の高周波信号を周波数変換して第２の周波数変換信号を第２の出力端子へ出力する第２の混合器、及び局発信号入力端子から入力される局発信号を第１の混合器と第２の混合器に分配して出力する第１の分配器から構成される２チャンネル周波数変換部を並列に複数設け、局発信号を発生する局部発振器と、この局部発振器が発生する局発信号を局発信号入力端子に分配して出力する第２の分配器とを備えたので、標準品の２チャンネル周波数変換機に局発信号入力端子を設ける変更を施すことにより２チャンネル周波数変換部を構成でき、また、局発信号を分配する第２の分配器を含む付加回路を新たに設け、この第２の分配器を用いて分配された局発信号を複数の局発信号入力端子に入力することができ、標準品である２チャンネル周波数変換機の構成を一部変更したものを複数用い、さらに簡易な付加回路を追加することにより、２チャンネル周波数変換機を活用して３チャンネル以上の複数チャンネル周波数変換機を得ることができる。
【００３９】
また、所定の帯域において、２チャンネル周波数変換部における第１の入力端子から第１の混合器の入力端までの群遅延時間と第２の入力端子から第２の混合器の入力端までの群遅延時間とが等しく、第１の混合器の周波数変換における群遅延特性と第２の混合器の周波数変換における群遅延特性とが等しく、第１の混合器の出力端から第１の出力端子までの群遅延時間と第２の混合器の出力端から第２の出力端子までの群遅延時間とが等しく、かつ、局部発振器の出力端から上記２チャンネル周波数変換部の第１の混合器及び第２の混合器までのそれぞれの電気長を等しく構成したので、４つの追尾信号間の位相関係が周波数変換後も保存される４チャンネル周波数変換機を得ることができる。
【００４０】
また、第２のＴ分岐形電力分配器５２ａを第１の基本ユニット１０２ａの内部に設けたので、第１の基本ユニット１０２ａ内における第２のＴ分岐形電力分配器５２ａと他の構成部品との温度差を抑えられ、さらに第１の基本ユニット１０２ａの内部と第１の基本ユニット１０２ｂの内部との温度差も抑えることにより、温度変化による局発信号の位相特性や振幅特性のばらつきを抑圧できる４チャンネル周波数変換機を得ることができる。
【００４１】
実施の形態２．
図４は、この発明の実施の形態２における２チャンネル周波数変換機の構成を説明するブロック図である。図２で示した第１の基本ユニット１０２を１セット用い、さらに付加回路を追加して、２チャンネル周波数変換機を構成する。図４において、第１の基本ユニット１０２は図２で示した構成と同じである。第１の局発信号出力端子８１と局発信号入力端子８０とを第１のジャンパー線４３ａにより接続し、第２の局発信号出力端子８２に第２の終端器８４を接続する。ここで、第１のジャンパー線４３ａと第２の終端器８４が第１の基本ユニット１０２の外部に設けられる付加回路である。
【００４２】
ここで、実施の形態１と同様に、第１の入力端子１１から第１の混合器３１の入力端に至る伝送線路と、第２の入力端子１２から第２の混合器３２の入力端に至る伝送線路とは、それぞれ所定の帯域内において周波数分散性がなく線路長が等しい同一の同軸ケーブルを用いて構成される。また、第１の混合器３１及び第２の混合器３２は、同一の製造方法、同一の製造ロットを用いて製造することにより、上記所定の帯域内において周波数変換時の群遅延特性が同一となるように構成される。ここで、所定の帯域とは、第１の追尾信号２１及び第２の追尾信号２２に割り当てられている周波数帯域である。さらに、第１の混合器３１の出力端から第１の出力端子７１に至る伝送線路と、第２の混合器３２の出力端から第２の出力端子７２に至る伝送線路とは、それぞれ第１の混合器３１及び第２の混合器３２により周波数変換された第１の周波数変換信号６１及び第２の周波数変換信号６２が有する周波数帯域内において周波数分散性がなく線路長が等しい同一の同軸ケーブルを用いて構成される。
【００４３】
また、第１のＴ分岐形電力分配器５１は、第１のＴ分岐形電力分配器５１の入力端における第１の分配器入力局発信号４４の位相に対し、第１のＴ分岐形電力分配器５１の二つの出力端における第１の混合器入力局発信号４５及び第２の混合器入力局発信号４６の位相差がそれぞれ等しくなるように構成される。さらに、第１のＴ分岐形電力分配器５１の一方の出力端から第１の混合器３１の局発信号入力端に至る伝送線路と、第１のＴ分岐形電力分配器５１のもう一方の出力端から第２の混合器３２の局発信号入力端に至る伝送線路とは、それぞれ線路長が等しい同一の同軸ケーブルを用いて構成される。
【００４４】
次に動作について説明する。実施の形態１と同様に、第１の入力端子１１から入力された第１の追尾信号２１は第１の混合器３１へ入力される。また、第２の入力端子１２から入力された第２の追尾信号２２は第２の混合器３２へ入力される。
【００４５】
ここで、第１の入力端子１１から第１の混合器３１の入力端に至る伝送線路と、第２の入力端子１２から第２の混合器３２の入力端に至る伝送線路とが、それぞれ追尾信号の帯域内において周波数分散性がなく線路長が等しい同一の同軸ケーブルを用いて構成されるので、第１の入力端子１１における第１の追尾信号２１及び第２の入力端子１２における第２の追尾信号２２は、第１の混合器３１及び第２の混合器３２ａのそれぞれの入力端において、追尾信号２１及び２２の帯域内のすべての周波数成分に対し同じ量の位相遅れが生じる。すなわち、上記２つの追尾信号２１及び２２に対し、各入力端子１１及び１２から対応する混合器３１及び３２の入力端までの群遅延時間が等しい。したがって、追尾信号２１及び２２の帯域内のすべての周波数成分に対し、上記２つの入力端子１１及び１２における上記２つの追尾信号２１及び２２の間の位相関係（位相差）は、上記２つの混合器３１及び３２の入力端において保存される。
【００４６】
局部発振器４から発生された局発信号４０は、第２の分配器である第２のＴ分岐形電力分配器５２へ入力される。局発信号４０は第２のＴ分岐形電力分配器５２により第１の局発信号４１と第２の局発信号４２に分配され、それぞれ第１の局発信号出力端子８１と第２の局発信号出力端子８２へ出力される。
【００４７】
第１の局発信号出力端子８１から出力された第１の局発信号４１は、第１のジャンパー線４３ａを経由して局発信号入力端子８０へ入力される。一方、第２の局発信号出力端子８２から出力された第２の局発信号４２は、第２の終端器８４により熱となって吸収され、第１の基本ユニット１０２内の他の部品に影響を及ぼさない。
【００４８】
局発信号入力端子８０から入力された第１の局発信号４１は、第１の分配器入力局発信号４４となって第１のＴ分岐形電力分配器５１へ入力される。第１の分配器入力局発信号４４は第１のＴ分岐形電力分配器５１により第１の混合器入力局発信号４５と第２の混合器入力局発信号４６に分配され、それぞれ第１の混合器３１と第２の混合器３２へ入力される。
【００４９】
ここで、第１のＴ分岐形電力分配器５１において、第１のＴ分岐形電力分配器５１の入力端における第１の分配器入力局発信号４４の位相に対し、第１のＴ分岐形電力分配器５１の二つの出力端における第１の混合器入力局発信号４５及び第２の混合器入力局発信号４６の位相差がそれぞれ等しい。さらに、第１のＴ分岐形電力分配器５１の一方の出力端から第１の混合器３１の局発信号入力端に至る伝送線路と、第１のＴ分岐形電力分配器５１のもう一方の出力端から第２の混合器３２の局発信号入力端に至る伝送線路とが、それぞれ線路長が等しい同一の同軸ケーブルを用いて構成されるので、第１の混合器入力局発信号４５及び第２の混合器入力局発信号４６が、それぞれ、第１のＴ分岐形電力分配器５１の二つの出力端から第１の混合器３１及び第２の混合器３２のそれぞれの局発信号入力端まで伝送する間の位相遅れは等しい。したがって、第１の混合器３１及び第２の混合器３２の各局発信号入力端における局発信号の位相は等しい。すなわち、局部発振器４の出力端から上記２つの混合器３１及び３２の局発信号入力端までのそれぞれの電気長が等しい。
【００５０】
第１の追尾信号２１は、第１の混合器３１により第１の追尾信号２１の周波数成分と第１の混合器入力局発信号４５の周波数との差の周波数成分を有する第１の周波数変換信号６１に変換され、第１の出力端子７１へ出力される。また、第２の追尾信号２２は、第２の混合器３２により第２の追尾信号２２の周波数成分と第２の混合器入力局発信号４６の周波数との差の周波数成分を有する第２の周波数変換信号６２に変換され、第２の出力端子７２へ出力される。
【００５１】
ここで、第１の混合器３１及び第２の混合器３２は所定の帯域内において周波数変換時の群遅延特性が同一となるように構成され、各混合器３１及び３２へ入力される局発信号４５及び４６の位相も同一なので、各混合器３１及び３２の出力端における各周波数変換信号６１及び６２の間の位相関係（位相差）は、各混合器３１及び３２の入力端における各追尾信号２１及び２２の間の位相関係（位相差）と同一となる。すなわち、所定の帯域において、第１の混合器に入力される第１の高周波信号と第２の混合器に入力される第２の高周波信号との位相差が、上記第１の混合器から出力される第１の周波数変換信号と上記第２の混合器から出力される第２の周波数変換信号との位相差に等しい。
【００５２】
さらに、第１の混合器３１の出力端から第１の出力端子７１に至る伝送線路と、第２の混合器３２の出力端から第２の出力端子７２に至る伝送線路とが、それぞれ第１の混合器３１及び第２の混合器３２により周波数変換された第１の周波数変換信号６１及び第２の周波数変換信号６２が有する周波数帯域内において周波数分散性がなく線路長が等しい同一の同軸ケーブルを用いて構成されるので、各混合器３１及び３２の出力端からそれぞれ対応する出力端子７１及び７２まで周波数変換信号６１及び６２が伝送する間の位相遅れも、周波数変換信号６１及び６２の帯域内のすべての周波数成分に対し同一となる。すなわち、上記２つの周波数変換信号６１及び６２に対し、各混合器３１及び３２の出力端から対応する出力端子７１及び７２までの群遅延時間が等しい。したがって、第１の基本ユニット１０２へ入力される２つの追尾信号２１及び２２の各入力端子１１及び１２における位相関係は、対応する出力端子７１及び７２における周波数変換信号６１及び６２の位相関係と同一となる。すなわち、２つの高周波信号である追尾信号２１及び２２の間の位相関係（位相差）が周波数変換後も保存される。
【００５３】
このように構成された実施の形態２による２チャンネル周波数変換機は、第１の入力端子から入力される第１の高周波信号を周波数変換して第１の周波数変換信号を第１の出力端子へ出力する第１の混合器、第２の入力端子から入力される第２の高周波信号を周波数変換して第２の周波数変換信号を第２の出力端子へ出力する第２の混合器、及び局発信号入力端子から入力される局発信号を第１の混合器と第２の混合器に分配して出力する第１の分配器から構成される２チャンネル周波数変換部を単一に設け、局発信号を発生する局部発振器と、この局部発振器が発生する局発信号を局発信号入力端子に分配して出力する第２の分配器とを備えたので、標準品の２チャンネル周波数変換機に局発信号入力端子を設ける変更を施すことにより２チャンネル周波数変換部を構成でき、また、局発信号を分配する第２の分配器を含む付加回路を新たに設け、この第２の分配器を用いて分配された局発信号を複数の局発信号入力端子に入力することができ、標準品である２チャンネル周波数変換機の構成を一部変更したものを用い、さらに簡易な付加回路を追加することにより、２チャンネル周波数変換機を得ることができる。
【００５４】
また、所定の帯域において、２チャンネル周波数変換部における第１の入力端子から第１の混合器の入力端までの群遅延時間と第２の入力端子から第２の混合器の入力端までの群遅延時間とが等しく、第１の混合器の周波数変換における群遅延特性と第２の混合器の周波数変換における群遅延特性とが等しく、第１の混合器の出力端から第１の出力端子までの群遅延時間と第２の混合器の出力端から第２の出力端子までの群遅延時間とが等しく、かつ、局部発振器の出力端から上記２チャンネル周波数変換部の第１の混合器及び第２の混合器までのそれぞれの電気長を等しく構成したので、２つの追尾信号間の位相関係が周波数変換後も保存される２チャンネル周波数変換機を得ることができる。
【００５５】
実施の形態３．
図５は、この発明の実施の形態３における４チャンネル周波数変換機の構成を説明するブロック図である。図３で示した４チャンネル周波数変換機を２セット従属接続して２段の周波数変換を行なうものである。図５において、４チャンネル周波数変換機１０３ａと４チャンネル周波数変換機１０３ｂとを従属接続する。４チャンネル周波数変換機１０３ａは図３で示した構成と同一である。４チャンネル周波数変換機１０３ｂの構成も４チャンネル周波数変換機１０３ａと同様であり、４チャンネル周波数変換機１０３ｂの第１の基本ユニット１０２ｃにおける局部発振器４ｃが発生する局発信号の周波数ＦＬ２が、４チャンネル周波数変換機１０３ａの第１の基本ユニット１０２ａにおける局部発振器４ａが発生する局発信号の周波数ＦＬ１と異なる。
【００５６】
次に動作について説明する。４チャンネル周波数変換機１０３ａの第１の基本ユニット１０２ａへ入力された第１の追尾信号２１ａの周波数成分をＦ１とすると、第１の混合器３１ａにより周波数変換された第１の周波数変換信号６１ａの周波数成分Ｆ２は、Ｆ２＝｜Ｆ１−ＦＬ１｜となる。第１の周波数変換信号６１ａは４チャンネル周波数変換機１０３ｂの第１の基本ユニット１０２ｃに高周波信号２１ｃとして入力される。高周波信号２１ｃが第１の基本ユニット１０２ｃにおける第１の混合器３１ｃにより周波数変換された第１の周波数変換信号６１ｃの周波数成分Ｆ３は、Ｆ３＝｜Ｆ２−ＦＬ２｜となる。他のチャンネルの追尾信号も同様に周波数変換される。
【００５７】
このように、２段の周波数変換を行なうことにより、周波数変換前の高周波信号と最終的に周波数変換された後の信号の周波数の差が大きい場合には、各周波数変換機を構成する局部発振器の周波数安定度や混合器の変換性能などに求められる要求性能が緩和できる利点がある。
【００５８】
このように構成された実施の形態３による４チャンネル周波数変換機は、第１の入力端子から入力される第１の高周波信号を周波数変換して第１の周波数変換信号を第１の出力端子へ出力する第１の混合器、第２の入力端子から入力される第２の高周波信号を周波数変換して第２の周波数変換信号を第２の出力端子へ出力する第２の混合器、及び局発信号入力端子から入力される局発信号を第１の混合器と第２の混合器に分配して出力する第１の分配器から構成される２チャンネル周波数変換部を並列に複数設け、局発信号を発生する局部発振器と、この局部発振器が発生する局発信号を局発信号入力端子に分配して出力する第２の分配器とを備えたので、標準品の２チャンネル周波数変換機に局発信号入力端子を設ける変更を施すことにより２チャンネル周波数変換部を構成でき、また、局発信号を分配する第２の分配器を含む付加回路を新たに設け、この第２の分配器を用いて分配された局発信号を複数の局発信号入力端子に入力することができ、標準品である２チャンネル周波数変換機の構成を一部変更したものを複数用い、さらに簡易な付加回路を追加することにより、２チャンネル周波数変換機を活用して４チャンネル周波数変換機を得ることができる。
【００５９】
また、異なる周波数の局発信号を発生する局部発振器を有する４チャンネル周波数変換機を２段従属接続したので、各周波数変換機を構成する局部発振器の周波数安定度や混合器の変換性能などに求められる要求性能が緩和できる４チャンネル周波数変換機を得ることができる。
【００６０】
実施の形態４．
図６は、この発明の実施の形態４における４チャンネル周波数変換機の第２の基本ユニット１０４を説明するブロック図である。図６において、図２で示した第２の分配器である第２のＴ分岐形電力分配器５２、第１の局発信号出力端子８１及び第２の局発信号出力端子８２の代わりに、局発信号出力端子８５が外部インタフェースとして設けられる。２チャンネル周波数変換部１０１は図２で示した構成と同様である。ここで、局発信号入力端子８０及び局発信号出力端子８５は、図１で示した２チャンネル周波数変換機１００の構成に対し変更を施した付加回路である。このように、２チャンネル周波数変換部１０１、局部発振器４及び局発信号出力端子８５により第２の基本ユニット１０４を構成する。
【００６１】
図７は、この発明の実施の形態４における４チャンネル周波数変換機の全体構成を説明するブロック図である。図６で示した第２の基本ユニット１０４を並列に２セット設け、さらに第２の基本ユニット１０４の外部に付加回路を設けることにより４チャンネル周波数変換機１０３を構成する。図７において、第２の基本ユニット１０４ａにおける局発信号出力端子８５ａと第２の分配器である第２のＴ分岐形電力分配器５２の入力端とが第３のジャンパー線４７により接続される。また、第２のＴ分岐形電力分配器５２の一方の出力端と第２の基本ユニット１０４ａにおける局発信号入力端子８０ａとが第１のジャンパー線４３ａにより接続される。また、第２のＴ分岐形電力分配器５２のもう一方の出力端と第２の基本ユニット１０４ｂにおける局発信号入力端子８０ｂとが第２のジャンパー線４３ｂにより接続される。さらに、第２の基本ユニット１０４ｂにおいて、局発信号出力端子８５ｂに終端器８６が接続される。ここで、第２の基本ユニット１０４の外部に設ける付加回路とは、第２のＴ分岐形電力分配器５２、第１のジャンパー線４３ａ、第２のジャンパー線４３ｂ、第３のジャンパー線４７及び終端器８６である。
【００６２】
ここで、図７における第２の基本ユニット１０４ａ及び１０４ｂは図６で示した基本２の基本ユニット１０４と同一の構成であり、第１の入力端子１１から第１の混合器３１の入力端に至る伝送線路と、第２の入力端子１２から第２の混合器３２の入力端に至る伝送線路とは、それぞれ所定の帯域内において周波数分散性がなく線路長が等しい同一の同軸ケーブルを用いて構成される。また、第１の混合器３１及び第２の混合器３２は、同一の製造方法、同一の製造ロットを用いて製造することにより、上記所定の帯域内において周波数変換時の群遅延特性が同一となるように構成される。ここで、所定の帯域とは、第１の追尾信号２１及び第２の追尾信号２２に割り当てられている周波数帯域である。さらに、第１の混合器３１の出力端から第１の出力端子７１に至る伝送線路と、第２の混合器３２の出力端から第２の出力端子７２に至る伝送線路とは、それぞれ第１の混合器３１及び第２の混合器３２により周波数変換された第１の周波数変換信号６１及び第２の周波数変換信号６２が有する周波数帯域内において周波数分散性がなく線路長が等しい同一の同軸ケーブルを用いて構成される。
【００６３】
また、第２のＴ分岐形電力分配器５２は、第２のＴ分岐形電力分配器５２の入力端における局発信号４０ａの位相に対し、第２のＴ分岐形電力分配器５２の二つの出力端における第１の局発信号４１及び第２の局発信号４２の位相差がそれぞれ等しくなるように構成される。また、第２のＴ分岐形電力分配器５２の一方の出力端から第２の基本ユニット１０４ａにおける局発信号入力端子８０ａに至る伝送線路である第１のジャンパー線４３ａ、及び第２のＴ分岐形電力分配器５２のもう一方の出力端から第２の基本ユニット１０４ｂにおける局発信号入力端子８０ｂに至る伝送線路である第２のジャンパー線４３ｂは、それぞれ線路長が等しい同一の同軸ケーブルを用いて構成される。さらに、第２の基本ユニット１０４ａにおける局発信号入力端子８０ａから第１のＴ分岐形電力分配器５１ａの入力端に至る伝送線路と、第２の基本ユニット１０４ｂにおける局発信号入力端子８０ｂから第１のＴ分岐形電力分配器５１ｂの入力端に至る伝送線路とは、それぞれ線路長が等しい同一の同軸ケーブルを用いて構成される。
【００６４】
また、第２の基本ユニット１０４ａの第１のＴ分岐形電力分配器５１ａにおいて、第１のＴ分岐形電力分配器５１ａの入力端における第１の分配器入力局発信号４４ａの位相に対し、第１のＴ分岐形電力分配器５１ａの二つの出力端における第１の混合器入力局発信号４５ａ及び第２の混合器入力局発信号４６ａの位相差がそれぞれ等しい。同様に、第２の基本ユニット１０４ｂの第１のＴ分岐形電力分配器５１ｂにおいて、第１のＴ分岐形電力分配器５１ｂの入力端における第１の混合器入力局発信号４４ｂの位相に対し、第１のＴ分岐形電力分配器５１ｂの二つの出力端における第１の混合器入力局発信号４５ｂ及び第２の混合器入力局発信号４６ｂの位相差はそれぞれ等しい。さらに、上記４つの位相差がすべて等しくなるように、第１のＴ分岐形電力分配器５１ａ及び第１のＴ分岐形電力分配器５１ｂが構成される。
【００６５】
また、第２の基本ユニット１０４ａの第１のＴ分岐形電力分配器５１ａの一方の出力端から第１の混合器３１ａの局発信号入力端に至る伝送線路と、第１のＴ分岐形電力分配器５１ａのもう一方の出力端から第２の混合器３２ａの局発信号入力端に至る伝送線路と、第２の基本ユニット１０４ｂの第１のＴ分岐形電力分配器５１ｂの一方の出力端から第１の混合器３１ｂの局発信号入力端に至る伝送線路と、第１のＴ分岐形電力分配器５１ｂのもう一方の出力端から第２の混合器３２ｂの局発信号入力端に至る伝送線路とは、それぞれ線路長が等しい同一の同軸ケーブルを用いて構成される。
【００６６】
次に動作について説明する。実施の形態１と同様に、第２の基本ユニット１０４ａにおいて、第１の入力端子１１ａから入力された第１の追尾信号２１ａは第１の混合器３１ａへ入力される。また、第２の入力端子１２ａから入力された第２の追尾信号２２ａは第２の混合器３２ａへ入力される。同様に、第２の基本ユニット１０４ｂにおいて、第１の入力端子１１ｂから入力された第１の追尾信号２１ｂは第１の混合器３１ｂへ入力される。また、第２の入力端子１２ｂから入力された第２の追尾信号２２ｂは第２の混合器３２ｂへ入力される。このように、４つの追尾信号が４チャンネル周波数変換機１０３へ入力される。
【００６７】
ここで、第２の基本ユニット１０４ａにおいて、第１の入力端子１１ａから第１の混合器３１ａの入力端に至る伝送線路と、第２の入力端子１２ａから第２の混合器３２ａの入力端に至る伝送線路とが、それぞれ追尾信号の帯域内において周波数分散性がなく線路長が等しい同一の同軸ケーブルを用いて構成され、第２の基本ユニット１０４ｂについても同様であるので、第２の基本ユニット１０４ａの第１の入力端子１１ａにおける第１の追尾信号２１ａ、第２の入力端子１２ａにおける第２の追尾信号２２ａ、第２の基本ユニット１０４ｂの第１の入力端子１１ｂにおける第１の追尾信号２１ｂ及び第２の入力端子１２ｂにおける第２の追尾信号２２ｂは、第２の基本ユニット１０４ａにおける第１の混合器３１ａ、第２の混合器３２ａ、第２の基本ユニット１０４ｂにおける第１の混合器３１ｂ及び第２の混合器３２ｂのそれぞれの入力端において、追尾信号２１ａ、２２ａ、２１ｂ及び２２ｂの帯域内のすべての周波数成分に対し同じ量の位相遅れが生じる。すなわち、上記４つの追尾信号２１ａ、２２ａ、２１ｂ及び２２ｂに対し、各入力端子１１ａ、１２ａ、１１ｂ及び１２ｂから対応する混合器３１ａ、３２ａ、３１ｂ及び３２ｂの入力端までの群遅延時間が等しい。したがって、追尾信号２１ａ、２２ａ、２１ｂ及び２２ｂの帯域内のすべての周波数成分に対し、上記４つの入力端子１１ａ、１２ａ、１１ｂ及び１２ｂにおける上記４つの追尾信号２１ａ、２２ａ、２１ｂ及び２２ｂの間の位相関係（位相差）は、上記４つの混合器３１ａ、３２ａ、３１ｂ及び３２ｂの入力端において保存される。
【００６８】
第２の基本ユニット１０４ａにおける局部発振器４ａから発生された局発信号４０ａは局発信号出力端子８５ａへ出力される。局発信号出力端子８５ａから出力された局発信号４０ａは、第３のジャンパー線４７を経由して第２の分配器である第２のＴ分岐形電力分配器５２へ入力される。局発信号４０ａは、第２のＴ分岐形電力分配器５２により第１の局発信号４１と第２の局発信号４２とに分配され、それぞれ第１のジャンパー線４３ａ及び第２のジャンパー線４３ｂを経由して、第２の基本ユニット１０４ａの局発信号入力端子８０ａ及び第２の基本ユニット１０４ｂの局発信号入力端子８０ｂへ入力される。なお、局発信号４０ａ、第１の局発信号４１及び第２の局発信号４２の周波数は同じである。このように局発信号４０ａは第２のＴ分岐形電力分配器５２により２チャンネル周波数変換部１０１の数だけ分配される。
【００６９】
ここで、第２のＴ分岐形電力分配器５２において、第２のＴ分岐形電力分配器５２の入力端における局発信号４０ａの位相に対し、第２のＴ分岐形電力分配器５２の二つの出力端における第１の局発信号４１及び第２の局発信号４２の位相差はそれぞれ等しい。また、第２のＴ分岐形電力分配器５２の一方の出力端から第２の基本ユニット１０４ａにおける局発信号入力端子８０ａに至る伝送線路と、第２のＴ分岐形電力分配器５２のもう一方の出力端から第２の基本ユニット１０４ｂにおける局発信号入力端子８０ｂに至る伝送線路とが、それぞれ線路長が等しい同一の同軸ケーブルを用いて構成されるので、第１の局発信号４１及び第２の局発信号４２は、第２のＴ分岐形電力分配器５２の二つの出力端からそれぞれ対応する局発信号入力端子８０ａ及び局発信号入力端子８０ｂまで伝送する間に同じ量の位相遅れが生じる。なお、局発信号４０ａが局部発振器４ａの出力端から第２のＴ分岐形電力分配器５２の入力端まで伝送する間に生じる位相遅れは、第１の局発信号４１及び第２の局発信号４２の位相に対し共通に寄与する。したがって、局部発振器４ａの出力端における局発信号４０ａの位相に対し、局発信号入力端子８０ａ及び局発信号入力端子８０ｂにおけるそれぞれの局発信号の位相遅れは等しい。
【００７０】
第２の基本ユニット１０４ａの局発信号入力端子８０ａから入力された第１の局発信号４１は、第１の分配器入力局発信号４４ａとなって第１のＴ分岐形電力分配器５１ａへ入力される。第１の分配器入力局発信号４４ａは第１のＴ分岐形電力分配器５１ａにより第１の混合器入力局発信号４５ａと第２の混合器入力局発信号４６ａに分配され、それぞれ第１の混合器３１ａと第２の混合器３２ａへ入力される。
【００７１】
同様に、第２の基本ユニット１０４ｂの局発信号入力端子８０ｂから入力された第２の局発信号４２は、第１の分配器入力局発信号４４ｂとなって第１のＴ分岐形電力分配器５１ｂへ入力される。第１の分配器入力局発信号４４ｂは第１のＴ分岐形電力分配器５１ｂにより第１の混合器入力局発信号４５ｂと第２の混合器入力局発信号４６ｂに分配され、それぞれ第１の混合器３１ｂと第２の混合器３２ｂへ入力される。
【００７２】
ここで、局発信号入力端子８０ａから第１のＴ分岐形電力分配器５１ａの入力端に至る伝送線路と、局発信号入力端子８０ｂから第１のＴ分岐形電力分配器５１ｂの入力端に至る伝送線路とが、それぞれ線路長が等しい同一の同軸ケーブルを用いて構成されるので、第１の分配器入力局発信号４４ａ及び第１の分配器入力局発信号４４ｂは、それぞれ、局発信号入力端子８０ａから第１のＴ分岐形電力分配器５１ａの入力端まで、及び、局発信号入力端子８０ｂから第１のＴ分岐形電力分配器５１ｂの入力端まで伝送する間に同じ量の位相遅れが生じる。
【００７３】
また、第１のＴ分岐形電力分配器５１ａにおいて、第１のＴ分岐形電力分配器５１ａの入力端における第１の分配器入力局発信号４４ａの位相に対し、第１のＴ分岐形電力分配器５１ａの二つの出力端における第１の混合器入力局発信号４５ａ及び第２の混合器入力局発信号４６ａの位相差がそれぞれ等しい。同様に、第１のＴ分岐形電力分配器５１ｂにおいて、第１のＴ分岐形電力分配器５１ｂの入力端における第１の混合器入力局発信号４４ｂの位相に対し、第１のＴ分岐形電力分配器５１ｂの二つの出力端における第１の混合器入力局発信号４５ｂ及び第２の混合器入力局発信号４６ｂの位相差もそれぞれ等しい。さらに、上記４つの位相差はすべて等しい。
【００７４】
さらに、第２の基本ユニット１０４ａの第１のＴ分岐形電力分配器５１ａの一方の出力端から第１の混合器３１ａの局発信号入力端に至る伝送線路と、第１のＴ分岐形電力分配器５１ａのもう一方の出力端から第２の混合器３２ａの局発信号入力端に至る伝送線路と、第２の基本ユニット１０４ｂの第１のＴ分岐形電力分配器５１ｂの一方の出力端から第１の混合器３１ｂの局発信号入力端に至る伝送線路と、第１のＴ分岐形電力分配器５１ｂのもう一方の出力端から第２の混合器３２ｂの局発信号入力端に至る伝送線路とが、それぞれ線路長が等しい同一の同軸ケーブルを用いて構成されるので、第１の混合器入力局発信号４５ａ及び第２の混合器入力局発信号４６ａが、それぞれ、第１のＴ分岐形電力分配器５１ａの二つの出力端から第１の混合器３１ａ及び第２の混合器３２ａのそれぞれの局発信号入力端まで伝送する間、ならびに、第１の混合器入力局発信号４５ｂ及び第２の混合器入力局発信号４６ｂが、それぞれ、第１のＴ分岐形電力分配器５１ｂの二つの出力端から第１の混合器３１ｂ及び第２の混合器３２ｂのそれぞれの局発信号入力端まで伝送する間の位相遅れはすべて等しい。
【００７５】
したがって、第１の混合器３１ａ、第２の混合器３２ａ、第１の混合器３１ｂ及び第２の混合器３２ｂの各局発信号入力端における局発信号の周波数と位相はすべて等しい。すなわち、局部発振器４ａの出力端から上記４つの混合器３１ａ、３２ａ、３１ｂ及び３２ｂの局発信号入力端までのそれぞれの電気長が等しい。
【００７６】
第２の基本ユニット１０４ａの第１の追尾信号２１ａは、第１の混合器３１ａにより第１の追尾信号２１ａの周波数成分と第１の混合器入力局発信号４５ａの周波数との差の周波数成分を有する第１の周波数変換信号６１ａに変換され、第１の出力端子７１ａへ出力される。また、第２の追尾信号２２ａは、第２の混合器３２ａにより第２の追尾信号２２ａの周波数成分と第２の混合器入力局発信号４６ａの周波数との差の周波数成分を有する第２の周波数変換信号６２ａに変換され、第２の出力端子７２ａへ出力される。
【００７７】
同様に、第２の基本ユニット１０４ｂの第１の追尾信号２１ｂは、第１の混合器３１ｂにより第１の追尾信号２１ｂの周波数成分と第１の混合器入力局発信号４５ｂの周波数との差の周波数成分を有する第１の周波数変換信号６１ｂに変換され、第１の出力端子７１ｂへ出力される。また、第２の追尾信号２２ｂは、第２の混合器３２ｂにより第２の追尾信号２２ｂの周波数成分と第２の混合器入力局発信号４６ｂの周波数との差の周波数成分を有する第２の周波数変換信号６２ｂに変換され、第２の出力端子７２ｂへ出力される。
【００７８】
ここで、第２の基本ユニット１０４ａにおける第１の混合器３１ａ及び第２の混合器３２ａは所定の帯域内において周波数変換時の群遅延特性が同一となるように構成され、各混合器３１ａ及び３２ａへ入力される局発信号４５ａ及び４６ａの周波数及び位相も同一であり、第２の基本ユニット１０４ｂについても同様なので、各混合器３１ａ、３２ａ、３１ｂ及び３２ｂの出力端における各周波数変換信号６１ａ、６２ａ、６１ｂ及び６２ｂの間の位相関係（位相差）は、各混合器３１ａ、３２ａ、３１ｂ及び３２ｂの入力端における各追尾信号２１ａ、２２ａ、２１ｂ及び２２ｂの間の位相関係（位相差）と同一となる。すなわち、所定の帯域において、第１の混合器に入力される第１の高周波信号と第２の混合器に入力される第２の高周波信号との位相差が、上記第１の混合器から出力される第１の周波数変換信号と上記第２の混合器から出力される第２の周波数変換信号との位相差に等しい。
【００７９】
さらに、第２の基本ユニット１０４ａにおける第１の混合器３１ａの出力端から第１の出力端子７１ａに至る伝送線路と、第２の混合器３２ａの出力端から第２の出力端子７２ａに至る伝送線路とが、それぞれ第１の混合器３１ａ及び第２の混合器３２ａにより周波数変換された第１の周波数変換信号６１ａ及び第２の周波数変換信号６２ａが有する周波数帯域内において周波数分散性がなく線路長が等しい同一の同軸ケーブルを用いて構成され、第２の基本ユニット１０４ｂについても同様なので、各混合器３１ａ、３２ａ、３１ｂ及び３２ｂの出力端からそれぞれ対応する出力端子７１ａ、７２ａ、７１ｂ及び７２ｂまで周波数変換信号６１ａ、６２ａ、６１ｂ及び６２ｂが伝送する間の位相遅れも、周波数変換信号６１ａ、６２ａ、６１ｂ及び６２ｂの帯域内のすべての周波数成分に対し同一となる。すなわち、上記４つの周波数変換信号６１ａ、６２ａ、６１ｂ及び６２ｂに対し、各混合器３１ａ、３２ａ、３１ｂ及び３２ｂの出力端から対応する出力端子７１ａ、７２ａ、７１ｂ及び７２ｂまでの群遅延時間が等しい。したがって、周波数変換信号６１ａ、６２ａ、６１ｂ及び６２ｂの帯域内のすべての周波数成分に対し、上記４つの混合器３１ａ、３２ａ、３１ｂ及び３２ｂの出力端における上記４つの周波数変換信号６１ａ、６２ａ、６１ｂ及び６２ｂの間の位相関係（位相差）は、上記４つの出力端子７１ａ、７２ａ、７１ｂ及び７２ｂにおいて保存される。
【００８０】
このように、第２の基本ユニット１０４ａ及び１０４ｂへ入力される４つの追尾信号２１ａ、２２ａ、２１ｂ及び２２ｂの間の各入力端子１１ａ、１２ａ、１１ｂ及び１２ｂにおける位相関係（位相差）は、対応する出力端子７１ａ、７２ａ、７１ｂ及び７２ｂにおける周波数変換信号６１ａ、６２ａ、６１ｂ及び６２ｂの間の位相関係（位相差）と同一となる。すなわち、４つの高周波信号である追尾信号２１ａ、２２ａ、２１ｂ及び２２ｂの間の位相関係（位相差）が周波数変換後も保存される。
【００８１】
一方、第２の基本ユニット１０４ｂにおける局部発振器４ｂから発生された局発信号４０ｂは局発信号出力端子８５ｂへ出力される。局発信号出力端子８５ｂへ出力される局発信号４０ｂは、終端器８６により熱となって吸収され、第２の基本ユニット１０４ｂ内の他の部品に影響を及ぼさない。
【００８２】
このように、第２の基本ユニット１０４ａにおける局部発振器４ａから発生された局発信号４０ａは、第２のＴ分岐形電力分配器５２、第２の基本ユニット１０４ａにおける第１のＴ分岐形電力分配器５１ａ、及び第２の基本ユニット１０４ｂにおける第１のＴ分岐形電力分配器５１ｂにより４分配され、それぞれ混合器３１ａ、３２ａ、３１ｂ及び３２ｂへ入力されることにより、４チャンネル周波数変換機１０３へ入力される４つの追尾信号２１ａ、２２ａ、２１ｂ及び２２ｂの周波数変換に供される。一方、第２の基本ユニット１０４ｂにおける局部発振器４ｂから発生された局発信号４０ｂは、４チャンネル周波数変換機１０３へ入力される４つの追尾信号２１ａ、２２ａ、２１ｂ及び２２ｂの周波数変換に供されない。
【００８３】
このように、第２のＴ分岐形電力分配器５２を第２の基本ユニット１０４ａ及び１０４ｂの外部に設けたので、各第２の基本ユニット１０４ａ及び１０４ｂの内部に第２の分配器５２ａ及び５２ｂを設ける必要がなく、また、局発信号出力端子８５を１つ設ければよいので、第２の基本ユニット１０４ａ及び１０４ｂの構成が簡単化される利点がある。
【００８４】
上記の実施の形態４の説明において、４チャンネル周波数変換機１０３を構成する例を示したが、１つのチャンネルにおける入力端子及び出力端子に終端器を接続することにより３チャンネル周波数変換機が得られる。
【００８５】
また、第２のＴ分岐形電力分配器５２を１台設けたが、第２のＴ分岐形電力分配器５２の２つの出力端にそれぞれ別の第２のＴ分岐形電力分配器５２を設けることにより局発信号４０ａを４分配し、第２の基本ユニット１０４を４セット設け、各第２の基本ユニット１０４の局発信号入力端子８０から４分配された局発信号を入力することにより８チャンネル周波数変換機を構成することができる。このように、第２のＴ分岐形電力分配器５２を複数段設け、これに対応して第２の基本ユニット１０４を複数設けることにより４チャンネル以上の複数チャンネル周波数変換機を容易に構成できる。
【００８６】
このように構成された実施の形態４による４チャンネル周波数変換機は、第１の入力端子から入力される第１の高周波信号を周波数変換して第１の周波数変換信号を第１の出力端子へ出力する第１の混合器、第２の入力端子から入力される第２の高周波信号を周波数変換して第２の周波数変換信号を第２の出力端子へ出力する第２の混合器、及び局発信号入力端子から入力される局発信号を第１の混合器と第２の混合器に分配して出力する第１の分配器から構成される２チャンネル周波数変換部を並列に複数設け、局発信号を発生する局部発振器と、この局部発振器が発生する局発信号を局発信号入力端子に分配して出力する第２の分配器とを備えたので、標準品の２チャンネル周波数変換機に局発信号入力端子を設ける変更を施すことにより２チャンネル周波数変換部を構成でき、また、局発信号を分配する第２の分配器を含む付加回路を新たに設け、この第２の分配器を用いて分配された局発信号を複数の局発信号入力端子に入力することができ、標準品である２チャンネル周波数変換機の構成を一部変更したものを複数用い、さらに簡易な付加回路を追加することにより、２チャンネル周波数変換機を活用して３チャンネル以上の複数チャンネル周波数変換機を得ることができる。
【００８７】
また、所定の帯域において、２チャンネル周波数変換部における第１の入力端子から第１の混合器の入力端までの群遅延時間と第２の入力端子から第２の混合器の入力端までの群遅延時間とが等しく、第１の混合器の周波数変換における群遅延特性と第２の混合器の周波数変換における群遅延特性とが等しく、第１の混合器の出力端から第１の出力端子までの群遅延時間と第２の混合器の出力端から第２の出力端子までの群遅延時間とが等しく、かつ、局部発振器の出力端から上記２チャンネル周波数変換部の第１の混合器及び第２の混合器までのそれぞれの電気長を等しく構成したので、４つの追尾信号間の位相関係が周波数変換後も保存される４チャンネル周波数変換機を得ることができる。
【００８８】
また、第２のＴ分岐形電力分配器５２を第２の基本ユニット１０４ａ及び１０４ｂの外部に設けたので、第２の基本ユニット１０４ａ及び１０４ｂの内部に第２の分配器５２ａ及び５２ｂを設ける必要がなく、また、局発信号出力端子８５を１つ設ければよいので、第２の基本ユニット１０４ａ及び１０４ｂの構成が簡単化される４チャンネル周波数変換機を得ることができる。
【００８９】
実施の形態５．
図８は、この発明の実施の形態５における２チャンネル周波数変換機の構成を説明するブロック図である。図６で示した第２の基本ユニット１０４を１セット用い、さらに付加回路を追加して、２チャンネル周波数変換機を構成する。図８において、第２の基本ユニット１０４は図６で示した構成と同じである。局発信号出力端子８５と局発信号入力端子８０とを第１のジャンパー線４３ａにより接続する。第１のジャンパー線４３ａは、局発信号出力端子８５から出力される局発信号４０を１分配して局発信号入力端子８０へ出力する第２の分配器と考えられる。ここで、第１のジャンパー線４３ａが第２の基本ユニット１０４の外部に設けられる付加回路である。
【００９０】
ここで、実施の形態２と同様に、第１の入力端子１１から第１の混合器３１の入力端に至る伝送線路と、第２の入力端子１２から第２の混合器３２の入力端に至る伝送線路とは、それぞれ所定の帯域内において周波数分散性がなく線路長が等しい同一の同軸ケーブルを用いて構成される。また、第１の混合器３１及び第２の混合器３２は、同一の製造方法、同一の製造ロットを用いて製造することにより、上記所定の帯域内において周波数変換時の群遅延特性が同一となるように構成される。ここで、所定の帯域とは、第１の追尾信号２１及び第２の追尾信号２２に割り当てられている周波数帯域である。さらに、第１の混合器３１の出力端から第１の出力端子７１に至る伝送線路と、第２の混合器３２の出力端から第２の出力端子７２に至る伝送線路とは、それぞれ第１の混合器３１及び第２の混合器３２により周波数変換された第１の周波数変換信号６１及び第２の周波数変換信号６２が有する周波数帯域内において周波数分散性がなく線路長が等しい同一の同軸ケーブルを用いて構成される。
【００９１】
また、第１のＴ分岐形電力分配器５１は、第１のＴ分岐形電力分配器５１の入力端における第１の分配器入力局発信号４４の位相に対し、第１のＴ分岐形電力分配器５１の二つの出力端における第１の混合器入力局発信号４５及び第２の混合器入力局発信号４６の位相差がそれぞれ等しくなるように構成される。さらに、第１のＴ分岐形電力分配器５１の一方の出力端から第１の混合器３１の局発信号入力端に至る伝送線路と、第１のＴ分岐形電力分配器５１のもう一方の出力端から第２の混合器３２の局発信号入力端に至る伝送線路とは、それぞれ線路長が等しい同一の同軸ケーブルを用いて構成される。
【００９２】
次に動作について説明する。実施の形態１と同様に、第１の入力端子１１から入力された第１の追尾信号２１は第１の混合器３１へ入力される。また、第２の入力端子１２から入力された第２の追尾信号２２は第２の混合器３２へ入力される。
【００９３】
ここで、第１の入力端子１１から第１の混合器３１の入力端に至る伝送線路と、第２の入力端子１２から第２の混合器３２の入力端に至る伝送線路とが、それぞれ追尾信号の帯域内において周波数分散性がなく線路長が等しい同一の同軸ケーブルを用いて構成されるので、第１の入力端子１１における第１の追尾信号２１及び第２の入力端子１２における第２の追尾信号２２は、第１の混合器３１及び第２の混合器３２ａのそれぞれの入力端において、追尾信号２１及び２２の帯域内のすべての周波数成分に対し同じ量の位相遅れが生じる。すなわち、上記２つの追尾信号２１及び２２に対し、各入力端子１１及び１２から対応する混合器３１及び３２の入力端までの群遅延時間が等しい。したがって、追尾信号２１及び２２の帯域内のすべての周波数成分に対し、上記２つの入力端子１１及び１２における上記２つの追尾信号２１及び２２の間の位相関係（位相差）は、上記２つの混合器３１及び３２の入力端において保存される。
【００９４】
局部発振器４から発生された局発信号４０は局発信号出力端子８５へ出力される。局発信号出力端子８５から出力される局発信号４０は第１のジャンパー線４３ａを経由して局発信号入力端子８０へ入力される。局発信号入力端子８０から入力された第１の局発信号４１は、第１の分配器入力局発信号４４となって第１のＴ分岐形電力分配器５１へ入力される。第１の分配器入力局発信号４４は第１のＴ分岐形電力分配器５１により第１の混合器入力局発信号４５と第２の混合器入力局発信号４６に分配され、それぞれ第１の混合器３１と第２の混合器３２へ入力される。
【００９５】
ここで、第１のＴ分岐形電力分配器５１において、第１のＴ分岐形電力分配器５１の入力端における第１の分配器入力局発信号４４の位相に対し、第１のＴ分岐形電力分配器５１の二つの出力端における第１の混合器入力局発信号４５及び第２の混合器入力局発信号４６の位相差がそれぞれ等しい。さらに、第１のＴ分岐形電力分配器５１の一方の出力端から第１の混合器３１の局発信号入力端に至る伝送線路と、第１のＴ分岐形電力分配器５１のもう一方の出力端から第２の混合器３２の局発信号入力端に至る伝送線路とが、それぞれ線路長が等しい同一の同軸ケーブルを用いて構成されるので、第１の混合器入力局発信号４５及び第２の混合器入力局発信号４６が、それぞれ、第１のＴ分岐形電力分配器５１の二つの出力端から第１の混合器３１及び第２の混合器３２のそれぞれの局発信号入力端まで伝送する間の位相遅れは等しい。したがって、第１の混合器３１及び第２の混合器３２の各局発信号入力端における局発信号の位相は等しい。すなわち、局部発振器４の出力端から上記２つの混合器３１及び３２の局発信号入力端までのそれぞれの電気長が等しい。
【００９６】
第１の追尾信号２１は、第１の混合器３１により第１の追尾信号２１の周波数成分と第１の混合器入力局発信号４５の周波数との差の周波数成分を有する第１の周波数変換信号６１に変換され、第１の出力端子７１へ出力される。また、第２の追尾信号２２は、第２の混合器３２により第２の追尾信号２２の周波数成分と第２の混合器入力局発信号４６の周波数との差の周波数成分を有する第２の周波数変換信号６２に変換され、第２の出力端子７２へ出力される。
【００９７】
ここで、第１の混合器３１及び第２の混合器３２は所定の帯域内において周波数変換時の群遅延特性が同一となるように構成され、各混合器３１及び３２に入力される局発信号４５及び４６の位相も同一なので、各混合器３１及び３２の出力端における各周波数変換信号６１及び６２の間の位相関係（位相差）は、各混合器３１及び３２の入力端における各追尾信号２１及び２２の間の位相関係（位相差）と同一となる。すなわち、所定の帯域において、第１の混合器に入力される第１の高周波信号と第２の混合器に入力される第２の高周波信号との位相差が、上記第１の混合器から出力される第１の周波数変換信号と上記第２の混合器から出力される第２の周波数変換信号との位相差に等しい。
【００９８】
さらに、第１の混合器３１の出力端から第１の出力端子７１に至る伝送線路と、第２の混合器３２の出力端から第２の出力端子７２に至る伝送線路とが、それぞれ第１の混合器３１及び第２の混合器３２により周波数変換された第１の周波数変換信号６１及び第２の周波数変換信号６２が有する周波数帯域内において周波数分散性がなく線路長が等しい同一の同軸ケーブルを用いて構成されるので、各混合器３１及び３２の出力端からそれぞれ対応する出力端子７１及び７２まで周波数変換信号６１及び６２が伝送する間の位相遅れも、周波数変換信号６１及び６２の帯域内のすべての周波数成分に対し同一となる。すなわち、上記２つの周波数変換信号６１及び６２に対し、各混合器３１及び３２の出力端から対応する出力端子７１及び７２までの群遅延時間が等しい。したがって、第２の基本ユニット１０４へ入力された２つの追尾信号２１及び２２の各入力端子１１及び１２における位相関係（位相差）は、対応する出力端子７１及び７２における周波数変換信号６１及び６２の位相関係（位相差）と同一となる。すなわち、２つの高周波信号である追尾信号２１及び２２の間の位相関係（位相差）が周波数変換後も保存される。
【００９９】
このように、局部発振器４が発生する局発信号４０を分配することなく第１のＴ分岐形電力分配器５１へ出力するので、局発信号の電力を不要に消費しない利点がある。
【０１００】
このように構成された実施の形態５による２チャンネル周波数変換機は、第１の入力端子から入力される第１の高周波信号を周波数変換して第１の周波数変換信号を第１の出力端子へ出力する第１の混合器、第２の入力端子から入力される第２の高周波信号を周波数変換して第２の周波数変換信号を第２の出力端子へ出力する第２の混合器、及び局発信号入力端子から入力される局発信号を第１の混合器と第２の混合器に分配して出力する第１の分配器から構成される２チャンネル周波数変換部を単一に設け、局発信号を発生する局部発振器と、この局部発振器が発生する局発信号を局発信号入力端子に分配して出力する第２の分配器とを備えたので、標準品の２チャンネル周波数変換機に局発信号入力端子を設ける変更を施すことにより２チャンネル周波数変換部を構成でき、標準品である２チャンネル周波数変換機の構成を一部変更したものを用い、さらに簡易な付加回路を追加することにより、２チャンネル周波数変換機を得ることができる。
【０１０１】
また、所定の帯域において、２チャンネル周波数変換部における第１の入力端子から第１の混合器の入力端までの群遅延時間と第２の入力端子から第２の混合器の入力端までの群遅延時間とが等しく、第１の混合器の周波数変換における群遅延特性と第２の混合器の周波数変換における群遅延特性とが等しく、第１の混合器の出力端から第１の出力端子までの群遅延時間と第２の混合器の出力端から第２の出力端子までの群遅延時間とが等しく、かつ、局部発振器の出力端から上記２チャンネル周波数変換部の第１の混合器及び第２の混合器までのそれぞれの電気長を等しく構成したので、２つの追尾信号間の位相関係が周波数変換後も保存される２チャンネル周波数変換機を得ることができる。
【０１０２】
また、局部発振器４が発生する局発信号４０を分配することなく第１のＴ分岐形電力分配器５１へ出力するので、局発信号の電力を不要に消費しない２チャンネル周波数変換機を得ることができる。
【０１０３】
実施の形態６．
図９は、この発明の実施の形態６における４チャンネル周波数変換機の構成を説明するブロック図である。図７で示した４チャンネル周波数変換機を２セット従属接続して２段の周波数変換を行なうものである。図９において、４チャンネル周波数変換機１０３ａと４チャンネル周波数変換機１０３ｂとを従属接続する。４チャンネル周波数変換機１０３ａは図７で示した構成と同一である。４チャンネル周波数変換機１０３ｂの構成も４チャンネル周波数変換機１０３ａと同様であり、４チャンネル周波数変換機１０３ｂの第２の基本ユニット１０４ｃにおける局部発振器４ｃが発生する局発信号の周波数ＦＬ２が、４チャンネル周波数変換機１０３ａの第２の基本ユニット１０４ａにおける局部発振器４ａが発生する局発信号の周波数ＦＬ１と異なる。
【０１０４】
次に動作について説明する。４チャンネル周波数変換機１０３ａの第２の基本ユニット１０４ａに入力された第１の追尾信号２１ａの周波数成分をＦ１とすると、第１の混合器３１ａにより周波数変換された第１の周波数変換信号６１ａの周波数成分Ｆ２は、Ｆ２＝｜Ｆ１−ＦＬ１｜となる。第１の周波数変換信号６１ａは４チャンネル周波数変換機１０３ｂの第２の基本ユニット１０４ｃに高周波信号２１ｃとして入力される。高周波信号２１ｃが第２の基本ユニット１０４ｃにおける第１の混合器３１ｃにより周波数変換された第１の周波数変換信号６１ｃの周波数成分Ｆ３は、Ｆ３＝｜Ｆ２−ＦＬ２｜となる。他のチャンネルの追尾信号も同様に周波数変換される。
【０１０５】
このように、２段の周波数変換を行なうことにより、周波数変換前の高周波信号と最終的に周波数変換された後の信号の周波数の差が大きい場合には、各周波数変換機を構成する局部発振器の周波数安定度や混合器の変換性能などに求められる要求性能が緩和できる利点がある。
【０１０６】
このように構成された実施の形態６による４チャンネル周波数変換機は、第１の入力端子から入力される第１の高周波信号を周波数変換して第１の周波数変換信号を第１の出力端子へ出力する第１の混合器、第２の入力端子から入力される第２の高周波信号を周波数変換して第２の周波数変換信号を第２の出力端子へ出力する第２の混合器、及び局発信号入力端子から入力される局発信号を第１の混合器と第２の混合器に分配して出力する第１の分配器から構成される２チャンネル周波数変換部を並列に複数設け、局発信号を発生する局部発振器と、この局部発振器が発生する局発信号を局発信号入力端子に分配して出力する第２の分配器とを備えたので、標準品の２チャンネル周波数変換機に局発信号入力端子を設ける変更を施すことにより２チャンネル周波数変換部を構成でき、また、局発信号を分配する第２の分配器を含む付加回路を新たに設け、この第２の分配器を用いて分配された局発信号を複数の局発信号入力端子に入力することができ、標準品である２チャンネル周波数変換機の構成を一部変更したものを複数用い、さらに簡易な付加回路を追加することにより、２チャンネル周波数変換機を活用して４チャンネル周波数変換機を得ることができる。
【０１０７】
また、異なる周波数の局発信号を発生する局部発振器を有する４チャンネル周波数変換機を２段従属接続したので、各周波数変換機を構成する局部発振器の周波数安定度や混合器の変換性能などに求められる要求性能が緩和できる４チャンネル周波数変換機を得ることができる。
【０１０８】
実施の形態７．
図１０は、この発明の実施の形態７における４チャンネル周波数変換機の全体構成を説明するブロック図である。図１０において、局部発振器の出力端から２チャンネル周波数変換部の第１の混合器の局発信号入力端までの間または第２の混合器の局発信号入力端までの間として、第２のＴ分岐形分配器５２の２つの出力端と２つの局発信号入力端子８０ａ及び８０ｂとの間に第２の移相器９３（図中、移相器をＰＳ：Phase Shifterと記す。）を設ける。図１０ではそれぞれ第２の位相器９３ａおよび９３ｂを設けているが、第２の移相器９３を設ける前において、第２のＴ分岐形分配器５２の２つの出力端と２つの局発信号入力端子８０ａ及び８０ｂとの間の電気長の短い伝送線路に１つ設けてもよい。その他の構成は図７で示した構成と同様である。
【０１０９】
次に動作について説明する。図７では、第２のＴ分岐形電力分配器５２の２つの出力端から第２の基本ユニット１０４ａにおける局発信号入力端子８０ａに至る伝送線路である第１のジャンパー線４３ａ、及び第２の基本ユニット１０４ｂにおける局発信号入力端子８０ｂに至る伝送線路である第２のジャンパー線４３ｂが、それぞれ線路長が等しい同一の同軸ケーブルを用いて構成されるが、線路長にばらつきがあると２つの伝送線路の電気長に差異が生じる。したがって、第２の移相器９３を設ける前において、第２のＴ分岐形分配器５２の２つの出力端と２つの局発信号入力端子８０ａ及び８０ｂとの間の電気長の短い伝送線路に設けた第２の移送器における局発信号の移送量を増やすことにより電気長を増加させ、２つの伝送線路の電気長の差異をなくすことができる。
【０１１０】
ここで、局発信号４０ａが第２の基本ユニット１０４ａにおける局部発振器４ａの局発信号出力端から局発信号出力端子８５ａに至る伝送線路、及び局発信号出力端子８５ａから第２のＴ分岐形電力分配器５２の入力端に至る伝送線路を伝送する間に生じる位相遅れは、第１の局発信号４１及び第２の局発信号４２の位相遅れに対し共通に寄与する。また、第２の基本ユニット１０４ａにおける第１の分配器入力局発信号４４ａが局発信号入力端子８０ａから第１の混合器３１ａの局発信号入力端及び第２の混合器３２ａの局発信号入力端まで伝送する間の位相遅れと、第２の基本ユニット１０４ｂにおける第１の分配器入力局発信号４４ｂが局発信号入力端子８０ｂから第１の混合器３１ｂの局発信号入力端及び第２の混合器３２ｂの局発信号入力端まで伝送する間の位相遅れとは等しい。しがたって、第１の混合器３１ａ、第２の混合器３２ａ、第１の混合器３１ｂ及び第２の混合器３２ｂの各局発信号入力端における局発信号の位相はすべて等しい。すなわち、局部発振器４ａの出力端から上記４つの混合器３１ａ、３２ａ、３１ｂ及び３２ｂの局発信号入力端までのそれぞれの電気長が等しい。
【０１１１】
このように、図７で示した実施の形態４と同様に、第２の基本ユニット１０４ａ及び１０４ｂへ入力される４つの追尾信号２１ａ、２２ａ、２１ｂ及び２２ｂの間の各入力端子１１ａ、１２ａ、１１ｂ及び１２ｂにおける位相関係（位相差）は、対応する出力端子７１ａ、７２ａ、７１ｂ及び７２ｂにおける周波数変換信号６１ａ、６２ａ、６１ｂ及び６２ｂの間の位相関係（位相差）と同一となる。すなわち、４つの高周波信号である追尾信号２１ａ、２２ａ、２１ｂ及び２２ｂの間の位相関係（位相差）が周波数変換後も保存される。
【０１１２】
このように、第２の移相器９３ａ及び９３ｂが第２の基本ユニット１０４の外部に設けられるので各移相器における位相調整の作業性がよい利点がある。
【０１１３】
このように構成された実施の形態７による４チャンネル周波数変換機は、第１の入力端子から入力される第１の高周波信号を周波数変換して第１の周波数変換信号を第１の出力端子へ出力する第１の混合器、第２の入力端子から入力される第２の高周波信号を周波数変換して第２の周波数変換信号を第２の出力端子へ出力する第２の混合器、及び局発信号入力端子から入力される局発信号を第１の混合器と第２の混合器に分配して出力する第１の分配器から構成される２チャンネル周波数変換部を並列に複数設け、局発信号を発生する局部発振器と、この局部発振器が発生する局発信号を局発信号入力端子に分配して出力する第２の分配器とを備えたので、標準品の２チャンネル周波数変換機に局発信号入力端子を設ける変更を施すことにより２チャンネル周波数変換部を構成でき、また、局発信号を分配する第２の分配器を含む付加回路を新たに設け、この第２の分配器を用いて分配された局発信号を複数の局発信号入力端子に入力することができ、標準品である２チャンネル周波数変換機の構成を一部変更したものを複数用い、さらに簡易な付加回路を追加することにより、２チャンネル周波数変換機を活用して４チャンネル周波数変換機を得ることができる。
【０１１４】
また、所定の帯域において、２チャンネル周波数変換部における第１の入力端子から第１の混合器の入力端までの群遅延時間と第２の入力端子から第２の混合器の入力端までの群遅延時間とが等しく、第１の混合器の周波数変換における群遅延特性と第２の混合器の周波数変換における群遅延特性とが等しく、第１の混合器の出力端から第１の出力端子までの群遅延時間と第２の混合器の出力端から第２の出力端子までの群遅延時間とが等しく、かつ、局部発振器の出力端から上記２チャンネル周波数変換部の第１の混合器及び第２の混合器までのそれぞれの電気長を等しく構成したので、４つの追尾信号間の位相関係が周波数変換後も保存される４チャンネル周波数変換機を得ることができる。
【０１１５】
また、少なくとも局部発振器の出力端から２チャンネル周波数変換部の第１の混合器の局発信号入力端までの間または２チャンネル周波数変換部の第２の混合器の局発信号入力端までの間のいずれかに第２の移相器を設けて、局部発振器の出力端から２チャンネル周波数変換部の第１の混合器及び第２の混合器の局発信号入力端までのそれぞれの電気長の差異をなくしたので、局部発振器の出力端から２チャンネル周波数変換部の第１の混合器及び第２の混合器までのそれぞれの電気長を等しく構成でき、４つの追尾信号間の位相関係が周波数変換後も保存される４チャンネル周波数変換機を得ることができる。
【０１１６】
実施の形態８．
図１１は、この発明の実施の形態８における複数チャンネル周波数変換機の要部となる２チャンネル周波数変換部１０１の構成を説明するブロック図である。上記実施の形態１から実施の形態７で示した２チャンネル周波数変換部１０１の構成に加え、第２の入力端子１２と第２の混合器３２の入力端との間に第１の移相器９１（図中、移相器をＰＳ：Phase Shifterと記す。）を、第２の混合器３２の出力端と第２の出力端子７２との間に別の第１の移相器９２を、第１のＴ分岐形電力分配器５１の一方の出力端と第２の混合器３２の局発信号入力端との間に第２の位相器９３を設ける。なお、図１１では、上記３つの移相器を設けない状態において、第１の入力端子１１から第１の混合器３１の入力端に至る伝送線路長が第２の入力端子１２から第２の混合器３２の入力端までの伝送線路長よりも長く、また、第１の混合器３１の出力端から第１の出力端子７１までの伝送線路長が第２の混合器３２の出力端から第２の出力端子７２までの伝送線路長よりも長い場合とする。さらに、第１の分配器である第１のＴ分岐形電力分配器５１の入力端から第１の混合器３１の局発信号入力端までの伝送線路長が第１のＴ分岐形電力分配器５１の入力端から第２の混合器３２の局発信号入力端までの伝送線路長よりも長い場合とする。
【０１１７】
ここで、第１の移相器９１は所定の帯域内のすべての周波数成分に対し、同じ量の位相遅れを生じさせる。また、別の第１の移相器９２は、第２の混合器３２により周波数変換された第２の周波数変換信号６２が有する周波数帯域内のすべての周波数成分に対し、同じ量の位相遅れを生じさせる。ここで所定の帯域とは、第２の追尾信号２２に割り当てられる周波数帯域である。
【０１１８】
次に動作について説明する。第１の入力端子１１から入力された第１の追尾信号２１は第１の混合器３１へ入力される。また、第２の入力端子１２から入力された第２の追尾信号２２は第１の移相器９１を経由して第２の混合器３２へ入力される。第１の移相器９１が設けられる前において、第１の入力端子１１から第１の混合器３１の入力端までの伝送線路長と第２の入力端子１２から第２の混合器３２の入力端までの伝送線路長との違いにより、所定の帯域において、第１の追尾信号２１及び第２の追尾信号２２がそれぞれ第１の入力端子１１から第１の混合器３１の入力端まで、及び第２の入力端子１２から第２の混合器３２の入力端まで伝送する間に、第１の追尾信号２１の群遅延時間と第２の追尾信号２２の群遅延時間との間に差異が生じる。第１の移相器９１は第２の追尾信号２２に対し通過位相を遅らせることにより、上記群遅延時間の差異をなくすことができる。したがって、第１の追尾信号２１及び第２の追尾信号２２は、第１の混合器３１の入力端及び第２の混合器３２の入力端において、各追尾信号２１及び２２の帯域内のすべての周波数成分に対し同じ量の位相遅れが生じる。このように、各追尾信号２１及び２２の帯域内のすべての周波数成分に対し、上記２つの入力端子１１及び１２における上記２つの追尾信号２１及び２２の間の位相関係（位相差）は、上記２つの混合器３１及び３２の入力端において保存される。
【０１１９】
局発信号入力端子８０から入力された第１の分配器入力局発信号４４は第１のＴ分岐形電力分配器５１へ入力される。第１の分配器入力局発信号４４は第１のＴ分岐形電力分配器５１により第１の混合器入力局発信号４５と第２の混合器入力局発信号４６に分配される。第１の混合器入力局発信号４５は第１の混合器３１へ入力される。第２の混合器入力信号４６は第２の移相器９３を経由して第２の混合器３２へ入力される。
【０１２０】
ここで、第１のＴ分岐形電力分配器５１において、第１のＴ分岐形電力分配器５１の入力端における第１の分配器入力局発信号４４の位相に対し、第１のＴ分岐形電力分配器５１の二つの出力端における第１の混合器入力局発信号４５及び第２の混合器入力局発信号４６の位相差はそれぞれ等しい。しかし、第２の移相器９３が設けられる前において、第１のＴ分岐形電力分配器５１の一方の出力端から第１の混合器３１の局発信号入力端までの伝送線路長と、第１のＴ分岐形電力分配器５１のもう一方の出力端から第２の混合器３２の局発信号入力端までの伝送線路長との違いにより、第１の混合器入力局発信号４５及び第２の混合器入力局発信号４６がそれぞれ第１のＴ分岐形電力分配器５１の一方の出力端から第１の混合器３１の局発信号入力端まで、及び第１のＴ分岐形電力分配器５１のもう一方の出力端から第２の混合器３２の局発信号入力端まで伝送する間に、第１の混合器入力局発信号４５の位相遅れと第２の混合器入力局発信号４６の位相遅れとの間に差異が生じる。第２の移相器９３は第２の混合器入力局発信号４６に対し通過位相を遅らせることにより、上記位相遅れの差異をなくすことができる。したがって、第１の混合器３１及び第２の混合器３２の各局発信号入力端における局発信号の位相はすべて等しい。
【０１２１】
第１の追尾信号２１は、第１の混合器３１により第１の追尾信号２１の周波数成分と第１の混合器入力局発信号４５の周波数との差の周波数成分を有する第１の周波数変換信号６１に変換され、第１の出力端子７１へ出力される。また、第２の追尾信号２２は、第２の混合器３２により第２の追尾信号２２の周波数成分と第２の混合器入力局発信号４６の周波数との差の周波数成分を有する第２の周波数変換信号６２に変換され、第２の出力端子７２へ出力される。
【０１２２】
ここで、第１の混合器３１及び第２の混合器３２は所定の帯域内において周波数変換時の群遅延特性が同一となるように構成され、各混合器３１及び３２へ入力される局発信号４５及び４６の位相も同一なので、各混合器３１及び３２の出力端における各周波数変換信号６１及び６２の間の位相関係（位相差）は、各混合器３１及び３２の入力端における各追尾信号２１及び２２の間の位相関係（位相差）と同一となる。すなわち、所定の帯域において、第１の混合器に入力される第１の高周波信号と第２の混合器に入力される第２の高周波信号との位相差が、上記第１の混合器から出力される第１の周波数変換信号と上記第２の混合器から出力される第２の周波数変換信号との位相差に等しい。
【０１２３】
別の第１の移相器９２が設けられる前において、第１の混合器３１の出力端から第１の出力端子７１までの伝送線路長と第２の混合器３２の出力端から第２の出力端子７２までの伝送線路長との違いにより、第１の周波数変換信号６１及び第２の周波数変換信号６２のそれぞれの周波数帯域内において、第１の周波数変換信号６１及び第２の周波数変換信号６２がそれぞれ第１の混合器３１の出力端から第１の出力端子７１まで、及び第２の混合器３２の出力端から第２の出力端子７２まで伝送する間に、第１の周波数変換信号６１の群遅延時間と第２の周波数変換信号６２の群遅延時間との間に差異が生じる。別の第１の移相器９２は第２の周波数変換信号６２に対し通過位相を遅らせることにより、上記群遅延時間の差異をなくすことができる。したがって、第１の周波数変換信号６１及び第２の周波数変換信号６２は、第１の出力端子７１及び第２の出力端子７２において、各周波数変換信号６１及び６２の帯域内のすべての周波数成分に対し同じ量の位相遅れが生じる。このように、周波数変換信号６１及び６２の帯域内のすべての周波数成分に対し、上記２つの混合器３１及び３２の出力端における上記２つの周波数変換信号６１及び６２の間の位相関係（位相差）は、上記２つの出力端子７１及び７２において保存される。
【０１２４】
以上の説明において、２チャンネル周波数変換部の入力端子における追尾信号間の位相関係（位相差）と、出力端子における周波数変換信号間の位相関係（位相差）とを保存するために、入力端子から混合器の入力端までの伝送線路対の群遅延時間を等しくし、混合器の出力端から出力端子までの伝送線路対の群遅延時間を等しくするために第１の移相器を設けたが、入力端子から混合器の入力端までの伝送線路対の各線路長が異なる場合に、第１の移相器を入力端子の前段側に設けてもよい。同様に、混合器の出力端から出力端子までの伝送線路対の各線路長が異なる場合に、別の第１の移相器を出力端子の後段側に設けてもよい。これにより、混合器の入力端における追尾信号間の位相関係（位相差）と、出力端子の後段に設けられる信号処理部などの入力端における周波数変換信号間の位相関係（位相差）とを保存することができる。
【０１２５】
このように構成された実施の形態８による２チャンネル周波数変換部は、少なくとも第１の入力端子と第１の出力端子との間または第２の入力端子と第２の出力端子との間のいずれかに第１の移相器を設けたので、第１の入力端子から第１の混合器の入力端までの群遅延時間と第２の入力端子から第２の混合器の入力端までの群遅延時間との差異、または、上記第１の混合器の出力端から第１の出力端子までの群遅延時間と上記第２の混合器の出力端から第２の出力端子までの群遅延時間との差異をなくすことができる。
【０１２６】
また、少なくとも局部発振器の出力端から２チャンネル周波数変換部の第１の混合器の局発信号入力端までの間または２チャンネル周波数変換部の第２の混合器の局発信号入力端までの間のいずれかに第２の移相器を設けたので、局部発振器の出力端から２チャンネル周波数変換部の第１の混合器及び第２の混合器の局発信号入力端までのそれぞれの電気長の差異をなくすことができる。したがって、２チャンネル周波数変換部における２つの追尾信号間の位相関係が周波数変換後も保存される複数チャンネル周波数変換機を得ることができる。
【０１２７】
以上の実施の形態の説明において、第１の基本ユニット１０２または第２の基本ユニット１０４に内臓される局部発振器４を用いたが、複数チャンネル周波数変換機１０３の外部に設けられた局部発振器を用いてもよい。
【０１２８】
また、第２の分配器を用いて局発信号を分配することにより混合器に入力される局発信号のレベルが小さくなり、混合器が所定の周波数変換動作を行なうのに十分なレベルに満たないときには、局発信号が伝送される経路に増幅器を設けてもよい。
【０１２９】
また、高周波信号が伝送される伝送線路に所定の帯域内で周波数分散性のない同軸線路を用いたが、マイクロストリップ線路やトリプレート線路など所定の帯域内で周波数分散性のない他のＴＥＭ線路を用いてもよい。また、周波数分散性があっても、追尾信号に割り当てられる帯域が狭く、その帯域内で周波数分散性が問題にならない程度であれば導波管を用いてもよい。
【０１３０】
また、第１の分配器及び第２の分配器にＴ分岐形電力分配器を用いたが、マジックＴ、ラットレースリングなどの分配器を用いてもよい。
【０１３１】
また、混合器の出力側にフィルタを設けて不要な高調波成分を抑圧してもよい。
【０１３２】
また、高周波信号を低い周波数の信号に周波数変換（ダウンコンバード）したが、低い周波数信号を高周波信号に周波数変換（アップコンバート）してもよい。
【０１３３】
また、第１の基本ユニット１０２と第２の基本ユニットとを並列に用いて４チャンネル周波数変換機を構成したり、第１の基本ユニット１０２を２セット並列に用いて構成した４チャンネル周波数変換機と、第２の基本ユニット１０４を２セット並列に用いて構成した４チャンネル周波数変換機とを従属接続して、２段の周波数変換を行なう４チャンネル周波数変換機を構成するなど、組み合わせて用いてもよい。
【図面の簡単な説明】
【０１３４】
【図１】この発明の実施の形態１における４チャンネル周波数変換機の要部となる２チャンネル周波数変換機の構成を説明するブロック図である。
【図２】この発明の実施の形態１における４チャンネル周波数変換機の第１の基本ユニットを説明するブロック図である。
【図３】この発明の実施の形態１における４チャンネル周波数変換機の全体構成を説明するブロック図である。
【図４】この発明の実施の形態２における２チャンネル周波数変換機を構成する場合のブロック図である。
【図５】この発明の実施の形態３における４チャンネル周波数変換機を説明するブロック図である。
【図６】この発明の実施の形態４における４チャンネル周波数変換機の第２の基本ユニットを説明するブロック図である。
【図７】この発明の実施の形態４における４チャンネル周波数変換機の全体構成を説明するブロック図である。
【図８】この発明の実施の形態５における２チャンネル周波数変換機を構成する場合のブロック図である。
【図９】この発明の実施の形態６における４チャンネル周波数変換機を説明するブロック図である。
【図１０】この発明の実施の形態７における４チャンネル周波数変換機を説明するブロック図である。
【図１１】この発明の実施の形態８における２チャンネル周波数変換部の構成を説明するブロック図である。
【符号の説明】
【０１３５】
１１、１１ａ、１１ｂ  第１の入力端子
１２、１２ａ、１２ｂ  第２の入力端子
２１、２１ａ、２１ｂ、２１ｃ、２１ｄ  第１の高周波信号である第１の追尾信号
２２、２２ａ、２２ｂ、２２ｃ、２２ｄ  第２の高周波信号である第２の追尾信号
３１、３１ａ、３１ｂ、３１ｃ、３１ｄ  第１の混合器
３２、３２ａ、３２ｂ、３２ｃ、３２ｄ  第２の混合器
４、４ａ、４ｂ、４ｃ、４ｄ  局部発振器
４０、４０ａ、４０ｂ  局発信号
４１、４１ａ、４１ｂ  第１の局発信号
４２、４２ａ、４２ｂ  第２の局発信号
４３ａ  第１のジャンパー線
４３ｂ  第２のジャンパー線
４４、４４ａ、４４ｂ  第１の分配器入力局発信号
４５、４５ａ、４５ｂ  第１の混合器入力局発信号
４６、４６ａ、４６ｂ  第２の混合器入力局発信号
４７  第３のジャンパー線
５１、５１ａ、５１ｂ、５１ｃ、５１ｄ  第１の分配器である第１のＴ分岐形電力分配器
５２、５２ａ、５２ｂ、５２ｃ、５２ｄ  第２の分配器である第２のＴ分岐形電力分配器
６１、６１ａ、６１ｂ、６１ｃ、６１ｄ  第１の周波数変換信号
６２、６２ａ、６２ｂ、６２ｃ、６２ｄ  第２の周波数変換信号
７１、７１ａ、７１ｂ  第１の出力端子
７２、７２ａ、７２ｂ  第２の出力端子
８０、８０ａ、８０ｂ  局発信号入力端子
８１、８１ａ、８１ｂ  第１の局発信号出力端子
８２、８２ａ、８２ｂ  第２の局発信号出力端子
８３ｂ  第１の終端器
８４、８４ｂ  第２の終端器
８５、８５ａ、８５ｂ  局発信号出力端子
８６  終端器
９１，９２  第１の移相器
９３、９３ａ、９３ｂ  第２の移相器
１００  ２チャンネル周波数変換機
１０１  ２チャンネル周波数変換部
１０２、１０２ａ、１０２ｂ、１０２ｃ、１０２ｄ  第１の基本ユニット
１０３、１０３ａ、１０３ｂ  ４チャンネル周波数変換機
１０４、１０４ａ、１０４ｂ、１０４ｃ、１０４ｄ  第２の基本ユニット
【図１】
2005072885.tif 000003
【図２】
2005072885.tif 000004
【図３】
2005072885.tif 000005
【図４】
2005072885.tif 000006
【図５】
2005072885.tif 000007
【図６】
2005072885.tif 000008
【図７】
2005072885.tif 000009
【図８】
2005072885.tif 000010
【図９】
2005072885.tif 000011
【図１０】
2005072885.tif 000012
【図１１】
2005072885.tif 000013